(57)【要約】  本発明は、電子機器、電子機器の使用方法、プログラム及び記録媒体に関し、電子機器の製造分野に属する。電子機器は、一つの収納チャンバを構成する密閉された透明材ケースと、透明液体電池とを含み、収納チャンバ内には、透明液体電池、スクリーンモジュール、メインボードモジュール、部品モジュール、及び、電源モジュールが収納され、メインボードモジュールは、透明材のスクリーンモジュールと接続され、メインボードモジュールは、部品モジュールと接続され、メインボードモジュールは、電源モジュールと接続される。透明材を使用して電子機器を製造するため、電子機器が透明の特性を有することができるようにして、電子機器の背面ケースに透明の保護カバーを追加する必要がなくなった。こうして、透明の保護カバーを追加することによる、電子機器の放熱性能が低下する問題を解決した上で、電子機器の全体的な透明感を高める効果を得た。【選択図】図１
2016540468.tif 000002
【特許請求の範囲】
【請求項１】
透明材ケースと、透明液体電池とを含み、前記透明材ケースは、一つの密閉された収納チャンバを構成し、前記収納チャンバ内には、前記透明液体電池、スクリーンモジュール、メインボードモジュール、部品モジュール、及び、電源モジュールが収納され、
前記メインボードモジュールは、透明材から構成された前記スクリーンモジュールと接続され、
前記メインボードモジュールは、前記部品モジュールと接続され、
前記メインボードモジュールは、前記電源モジュールと接続される
ことを特徴とする電子機器。
【請求項２】
前記透明液体電池は、透明電解液、陽極、及び、陰極を含み、
前記透明電解液は、
前記収納チャンバ内の、前記スクリーンモジュール、前記メインボードモジュール、前記部品モジュール、前記電源モジュール、前記陽極、及び、前記陰極以外の空間である、第１余剰空間内に充填されるか、
或いは、
前記収納チャンバ内に収納された透明容器内の、前記陽極、及び、前記陰極以外の空間である、第２余剰空間内に充填される
ことを特徴とする請求項１に記載の電子機器。
【請求項３】
前記第１余剰空間内の前記透明電解液の充填比は１未満であるか、或いは、前記第２余剰空間内の前記透明電解液の充填比は１未満である
ことを特徴とする請求項２に記載の電子機器。
【請求項４】
前記スクリーンモジュール、前記メインボードモジュール、及び、前記部品モジュールは、透明材により外側から密封され、
前記透明電解液が前記第１余剰空間内に充填される場合、前記透明材は耐酸性耐アルカリ性材であるか、或いは、前記透明材上に耐酸性耐アルカリ性材がメッキされている
ことを特徴とする請求項２に記載の電子機器。
【請求項５】
前記メインボードモジュール中の回路基板は、所定の形状を有する回路基板である
ことを特徴とする請求項２に記載の電子機器。
【請求項６】
前記部品モジュールは、それぞれ、少なくとも一種のカラーの光を出射できる、少なくとも一つのライトを含み、
各々のライトは、それぞれ、前記メインボードモジュール、及び、前記透明液体電池に接続される
ことを特徴とする請求項１乃至５のいずれか１項に記載の電子機器。
【請求項７】
前記部品モジュールは、カラーセンサをさらに含み、
前記カラーセンサは、前記メインボードモジュール、及び、前記透明液体電池に接続される
ことを特徴とする請求項６に記載の電子機器。
【請求項８】
透明材ケースは、前記収納チャンバを構成する透明材前面ケース及び透明材背面ケースを含み、
前記透明材前面ケースは、前記スクリーンモジュールと接続される
ことを特徴とする請求項１乃至５のいずれか１項に記載の電子機器。
【請求項９】
請求項１乃至８のいずれか１項に記載の電子機器に適用される電子機器の使用方法であって、
前記メインボードモジュールを用いて、前記スクリーンモジュールがバブル形状のアイコンであるバブルアイコンを表示させるように、制御するステップと、
前記メインボードモジュールを用いて、前記バブルアイコンに対する操作命令を受信したか否かを検出するステップと、
前記メインボードモジュールを用いて、前記バブルアイコンに対する操作命令を受信したことを検出した場合、前記スクリーンモジュールが、前記バブルアイコンが崩壊される模式的アニメーションを再生するように制御するステップと、
前記メインボードモジュールを用いて、前記スクリーンモジュールが、前記バブルアイコンに対応する操作インターフェイスを表示させるように制御するステップと
を含むことを特徴とする電子機器の使用方法。
【請求項１０】
請求項６に記載の電子機器に適用される電子機器の使用方法であって、
前記メインボードモジュールを用いて、前記スクリーンモジュールが表示する背景カラーを読取るステップと、
前記メインボードモジュールを用いて、前記少なくとも一つのライトが前記背景カラーに対応する光を出射するように制御するステップと
を含むことを特徴とする電子機器の使用方法。
【請求項１１】
請求項６に記載の電子機器に適用される電子機器の使用方法であって、
前記メインボードモジュールを用いて、ユーザによりトリガされた、第１カラー情報が付加されたカラー命令を受信するステップと、
前記メインボードモジュールを用いて、前記少なくとも一つのライトが前記第１カラー情報に対応する光を出射するように制御するステップと
を含むことを特徴とする電子機器の使用方法。
【請求項１２】
請求項６に記載の電子機器に適用される電子機器の使用方法であって、
前記メインボードモジュールを用いて、他の電子機器と通話する際に、前記他の電子機器のＩＤ情報を取得するステップと、
前記メインボードモジュールを用いて、予め設定した対応関係中から、前記ＩＤ情報に対応する第２カラー情報を読取るステップと、
前記メインボードモジュールを用いて、前記少なくとも一つのライトが前記第２カラー情報に対応する光を出射するように制御するステップと
を含むことを特徴とする電子機器の使用方法。
【請求項１３】
請求項７に記載の電子機器に応用する電子機器の使用方法であって、
前記カラーセンサを用いて、前記電子機器が位置する環境の環境カラーを取得するステップと、
前記メインボードモジュールを用いて、前記少なくとも一つのライトが前記環境カラーに対応する光を出射するように制御するステップと
を含むことを特徴とする電子機器の使用方法。
【請求項１４】
請求項２に記載の電子機器に適用される電子機器の使用方法であって、
前記メインボードモジュールを用いて、前記スクリーンモジュール上における前記陽極に対応する位置である第１位置、及び、前記スクリーンモジュール上における前記陰極に対応する位置である第２位置を取得するステップと、
前記電子機器が充電状態にいる際に、前記メインボードモジュールを用いて、前記スクリーンモジュールが、前記第１位置と前記第２位置との間で電流が流れていることを示す模式的アニメーションを再生するように制御するか、或いは、前記第１位置と前記第２位置とにおいてバブルが生成されていることを示す模式的アニメーションを再生するように制御するか、或いは、前記第１位置と前記第２位置のそれぞれから電流が前記スクリーンモジュールが表示した電池へ流れていることを示す模式的アニメーションを再生するように制御するステップと
を含むことを特徴とする電子機器の使用方法。
【発明の詳細な説明】
【技術分野】
【０００１】
本発明は、電子機器の製造分野に関し、特に、電子機器、及び、電子機器の使用方法に関する。
【背景技術】
【０００２】
電子機器の発展に伴い、電子機器の外観も多様化の発展の傾向が現れた。例えば、電子機器のために、特定のカラーのシェルを製造するか、或いは、電子機器に特定のカラーの保護カバーを装着してもよい。
電子機器の外観に透明の特性を付与して、ユーザの電子機器の外観に対する要求を満たすために、ユーザは、電子機器の背面ケースに、外部のカラーの変化に従ってカラーが変化できる、透明の保護カバーを追加してもよい。
【０００３】
発明者は、本発明を実現する過程において、関連技術には、少なくとも、以下の欠点が存在することを発見した。即ち、電子機器の背面ケースに、透明の保護カバーをさらに追加するため、電子機器の放熱を妨害されるため、電子機器の放熱性能が低下する。
【発明の概要】
【発明が解決しようとする課題】
【０００４】
関連技術での透明の保護カバーを追加することによる電子機器の放熱性能が低下する問題を解決するために、本発明は、電子機器、及び、電子機器の使用方法を提供する。前記構成は、以下のとおりである。
【課題を解決するための手段】
【０００５】
本発明の実施例に係る第１態様によると、電子機器を提供する。
透明材ケースと、透明液体電池とを含み、前記透明材ケースは、一つの密閉された収納チャンバを構成し、前記収納チャンバ内には、前記透明液体電池、スクリーンモジュール、メインボードモジュール、部品モジュール、及び、電源モジュールが収納され、
前記メインボードモジュールは、透明材から構成された前記スクリーンモジュールと接続され、
前記メインボードモジュールは、前記部品モジュールと接続され、
前記メインボードモジュールは、前記電源モジュールと接続される。
【０００６】
例えば、前記透明液体電池は、透明電解液、陽極、及び、陰極を含み、
前記透明電解液は、
前記収納チャンバ内の、前記スクリーンモジュール、前記メインボードモジュール、前記部品モジュール、前記電源モジュール、前記陽極、及び、前記陰極以外の空間である、第１余剰空間内に充填されるか、
或いは、
前記収納チャンバ内に収納された透明容器内の、前記陽極、及び、前記陰極以外の空間である、第２余剰空間内に充填される。
【０００７】
例えば、前記第１余剰空間内の前記透明電解液の充填比は１未満であるか、或いは、前記第２余剰空間内の前記透明電解液の充填比は１未満である。
例えば、前記スクリーンモジュール、前記メインボードモジュール、及び、前記部品モジュールは、透明材により外側から密封され、
前記透明電解液が前記第１余剰空間内に充填される場合、前記透明材は耐酸性耐アルカリ性材であるか、或いは、前記透明材上に耐酸性耐アルカリ性材がメッキされている。
【０００８】
例えば、前記メインボードモジュール中の回路基板は、所定の形状を有する回路基板である。
例えば、前記部品モジュールは、それぞれ、少なくとも一種のカラーの光を出射できる、少なくとも一つのライトを含み、
各々のライトは、それぞれ、前記メインボードモジュール、及び、前記透明液体電池に接続される。
【０００９】
例えば、前記部品モジュールは、カラーセンサをさらに含み、
前記カラーセンサは、前記メインボードモジュール、及び、前記透明液体電池に接続される。
例えば、透明材ケースは、前記収納チャンバを構成する透明材前面ケース及び透明材背面ケースを含み、
前記透明材前面ケースは、前記スクリーンモジュールと接続される。
【００１０】
本発明の実施例に係る第２態様によると、電子機器の使用方法を提供する。
前記電子機器の使用方法は、
前記メインボードモジュールを用いて、前記スクリーンモジュールがバブル形状のアイコンであるバブルアイコンを表示させるように、制御するステップと、
前記メインボードモジュールを用いて、前記バブルアイコンに対する操作命令を受信したか否かを検出するステップと、
前記メインボードモジュールを用いて、前記バブルアイコンに対する操作命令を受信したことを検出した場合、前記スクリーンモジュールが、前記バブルアイコンが崩壊される模式的アニメーションを再生するように制御するステップと、
前記メインボードモジュールを用いて、前記スクリーンモジュールが、前記バブルアイコンに対応する操作インターフェイスを表示させるように制御するステップと
を含む。
【００１１】
例えば、前記電子機器の使用方法は、
前記メインボードモジュールを用いて、前記スクリーンモジュールが表示する背景カラーを読取るステップと、
前記メインボードモジュールを用いて、前記少なくとも一つのライトが前記背景カラーに対応する光を出射するように制御するステップと
を含む。
【００１２】
例えば、前記電子機器の使用方法は、
前記メインボードモジュールを用いて、ユーザによりトリガされた、第１カラー情報が付加されたカラー命令を受信するステップと、
前記メインボードモジュールを用いて、前記少なくとも一つのライトが前記第１カラー情報に対応する光を出射するように制御するステップと
を含む。
【００１３】
例えば、前記電子機器の使用方法は、
前記メインボードモジュールを用いて、他の電子機器と通話する際に、前記他の電子機器のＩＤ情報を取得するステップと、
前記メインボードモジュールを用いて、予め設定した対応関係中から、前記ＩＤ情報に対応する第２カラー情報を読取るステップと、
前記メインボードモジュールを用いて、前記少なくとも一つのライトが前記第２カラー情報に対応する光を出射するように制御するステップと
を含む。
【００１４】
例えば、前記電子機器の使用方法は、
前記カラーセンサを用いて、前記電子機器が位置する環境の環境カラーを取得するステップと、
前記メインボードモジュールを用いて、前記少なくとも一つのライトが前記環境カラーに対応する光を出射するように制御するステップと
を含む。
【００１５】
例えば、前記電子機器の使用方法は、
前記メインボードモジュールを用いて、前記スクリーンモジュール上における前記陽極に対応する位置である第１位置、及び、前記スクリーンモジュール上における前記陰極に対応する位置である第２位置を取得するステップと、
前記電子機器が充電状態にいる際に、前記メインボードモジュールを用いて、前記スクリーンモジュールが、前記第１位置と前記第２位置との間で電流が流れていることを示す模式的アニメーションを再生するように制御するか、或いは、前記第１位置と前記第２位置とにおいてバブルが生成されていることを示す模式的アニメーションを再生するように制御するか、或いは、前記第１位置と前記第２位置のそれぞれから電流が前記スクリーンモジュールが表示した電池へ流れていることを示す模式的アニメーションを再生するように制御するステップと
を含む。
【００１６】
本発明の実施例が提供する構成の有益な効果は以下のとおりである。
透明材ケースにおいて形成された密閉された収納チャンバ内に、透明液体電池、スクリーンモジュール、メインボードモジュール、部品モジュール、及び、電源モジュールを収納し、ここで、メインボードモジュールはスクリーンモジュールと接続され、メインボードモジュールは部品モジュールと接続され、メインボードモジュールは電源モジュールと接続される。このように、透明材を使用して電子機器を製造するため、電子機器が透明の特性を有することができるようにして、電子機器の背面ケースに透明の保護カバーを追加する必要がなくなった。こうして、透明の保護カバーを追加するため、電子機器の放熱性能が低下する問題を解決した上で、電子機器の全体的な透明感を高める効果を得た。
以上の統括な記述と以下の細部記述は、ただ例示的なものであり、本発明を制限するものではないと、理解するべきである。
【図面の簡単な説明】
【００１７】
以下の図面は、明細書の一部分として明細書全体を構成することにより、本発明に合致する実施例を例示するとともに、本発明の原理を解釈するためのものである。
【００１８】
【図１】図１は、例示的な一実施例に係る電子機器の構成を示す模式図である。
【図２Ａ】図２Ａは、例示的なもう一実施例に係る電子機器の構成を示す模式図である。
【図２Ｂ】図２Ｂは、例示的な一実施例に係る電子機器の結合を示す模式図である。
【図３Ａ】図３Ａは、例示的な一実施例に係る電子機器の使用方法を示すフローチャートである。
【図３Ｂ】図３Ｂは、例示的な一実施例に係る電子機器によるバブルアイコンの表示を示す模式図である。
【図３Ｃ】図３Ｃは、例示的な一実施例に係る電子機器によるバブルアイコンに対応するインターフェイスの表示を示す模式図である。
【図４】図４は、例示的な一実施例に係る電子機器の使用方法を示すフローチャートである。
【図５】図５は、例示的な一実施例に係る電子機器の使用方法を示すフローチャートである。
【図６】図６は、例示的な一実施例に係る電子機器の使用方法を示すフローチャートである。
【図７】図７は、例示的な一実施例に係る電子機器の使用方法を示すフローチャートである。
【図８Ａ】図８Ａは、例示的な一実施例に係る電子機器の使用方法を示すフローチャートである。
【図８Ｂ】図８Ｂは、例示的な一実施例に係る電子機器の充電インターフェイスを示す模式図である。
【発明を実施するための形態】
【００１９】
ここで、例示的な実施例を詳細に説明する。また、説明中の例は、図面に示している。以下の記述において、図面を説明する際に特に説明しない場合、異なる図面中の同一の符号は、同一或いは同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び、方法の例に過ぎない。
【００２０】
図１は、例示的な一実施例に係る電子機器の構成を示す模式図である。図１に示したように、当該電子機器は、一つの密閉された収納チャンバを構成する透明材ケース１０１と、透明液体電池１０２とを含んでもよいが、これに制限されない。収納チャンバ内には、透明液体電池１０２、スクリーンモジュール１０３、メインボードモジュール１０４、部品モジュール１０５、及び、電源モジュール１０６が収納される。
【００２１】
メインボードモジュール１０４は、透明材から構成されたスクリーンモジュール１０３と接続される。
メインボードモジュール１０４は、部品モジュール１０５と接続される。
メインボードモジュール１０４は、電源モジュール１０６と接続される。
【００２２】
上記のように、本発明に係る実施例によって提供する電子機器によると、透明材ケースにおいて形成された密閉された収納チャンバ内に、透明液体電池、スクリーンモジュール、メインボードモジュール、部品モジュール、及び、電源モジュールを収納し、ここで、メインボードモジュールはスクリーンモジュールと接続され、メインボードモジュールは部品モジュールと接続され、メインボードモジュールは電源モジュールと接続される。このように、透明材を使用して電子機器を製造するため、電子機器が透明の特性を有することができるようにして、電子機器の背面ケースに透明の保護カバーを追加する必要がなくなった。このようにして、透明の保護カバーを追加するため、電子機器の放熱性能が低下する問題を解決した上で、電子機器の全体的な透明感を高める効果を得た。
【００２３】
図２Ａは、例示的なもう一実施例に係る電子機器の構成を示す模式図である。図２Ａに示したように、当該電子機器は、一つの密閉された収納チャンバを構成する透明材ケース２０１と、透明液体電池２０２と含んでもよいが、これに制限されない。収納チャンバ内には、透明液体電池２０２、スクリーンモジュール２０３、メインボードモジュール２０４、部品モジュール２０５、及び、電源モジュール２０６が収納される。
【００２４】
メインボードモジュール２０４は、透明材から構成されたスクリーンモジュール２０３と接続される。
メインボードモジュール２０４は、部品モジュール２０５と接続される。
メインボードモジュール２０４は、電源モジュール２０６と接続される。
【００２５】
ここで、メインボードモジュール２０４は、スクリーンモジュール２０３と接続されて、スクリーンモジュール２０３の表示を制御できる。当該スクリーンは、透明材から構成され、電子機器の透明性を保証した。メインボードモジュール２０４は、さらに、部品モジュール２０５と接続されて、部品モジュール２０５を制御できる。当該部品モジュール２０５は、カメラ、フラッシュ、距離センサ、等を含んでもよい。メインボードモジュール２０４は、さらに、電源モジュール２０６と接続されて、電源モジュール２０６の透明液体電池２０２に対する管理を制御できる。当該電源モジュール２０６は、充電チップ、充電電極、等を含んでもよい。
【００２６】
本実施例において、透明材ケース２０１は、透明材を使用して一体に成型したケースに製造されて、ケースの密閉性を保証し、収納チャンバ内の各モジュールの動作環境の清潔を維持する。或いは、透明材ケース２０１は、透明材を使用して、透明材前面ケース２０１１、及び、透明材背面ケース２０１２を製造して、透明材前面ケース２０１１と透明材背面ケース２０１２とを組み立てて、透明材ケース２０１を形成してもよい。
【００２７】
例えば、透明材ケース２０１は、透明材前面ケース２０１１、及び、透明材背面ケース２０１２を含み、透明材前面ケース２０１１と透明材背面ケース２０１２から密閉された収納チャンバを形成する。透明材前面ケース２０１１とスクリーンモジュール２０３とは結合される。
ここで、透明材背面ケース２０１２と、透明材前面ケース２０１１とを結合させる際に、透明材背面ケース２０１２と、透明材前面ケース２０１１とは、プラスチック製のバックルを用いて結合される。或いは、透明材ケース２０１の密閉性を高めるために、透明材背面ケース２０１２を、透明材前面ケース２０１１中にモザイクさせてもよい。この場合、透明材背面ケース２０１２の面積は、透明材前面ケース２０１１の面積より、若干、小さい。このようにして、透明材背面ケース２０１２と透明材前面ケース２０１１とを結合させる際に、完全に一致させることができる。
【００２８】
図２Ｂは、電子機器の結合を示した模式図である。図２Ｂは、透明材背面ケース２０１２と、透明材前面ケース２０１１とが、すべて、角丸長方形である例を挙げて、説明する。また、透明材背面ケース２０１２の面積は、透明材前面ケース２０１１の面積より、若干、小さい。透明材背面ケース２０１２と透明材前面ケース２０１１とを結合した後に、透明材背面ケース２０１２を透明材前面ケース２０１１中にモザイクさせることにより、透明材背面ケース２０１２と透明材前面ケース２０１１との結合部位を密閉させる。
【００２９】
透明材背面ケース２０１２、及び、透明材前面ケース２０１１の形状は、角丸がない長方形、等のその他の形状であってもよく、本実施例においては、透明材背面ケース２０１２、及び、透明材前面ケース２０１１の形状に対して制限しないことを説明する必要がある。
【００３０】
本実施例において、透明液体電池２０２は、透明電解液、陽極、及び、陰極を含んでもよい。透明電解液は、収納チャンバ中の、スクリーンモジュール２０３、メインボードモジュール２０４、部品モジュール２０５、電源モジュール２０６、陽極、及び、陰極以外の第１余剰空間内に充填されるか、或いは、透明容器中の、陽極、及び、陰極以外の第２余剰空間内に充填されてもよい。当該透明容器は、収納チャンバ内に収納される。
【００３１】
例えば、透明液体電池２０２が透明電解液である場合、陽極と陰極とを収納チャンバ内に収納し、また、透明電解液を収納チャンバ内の、スクリーンモジュール２０３、メインボードモジュール２０４、部品モジュール２０５、電源モジュール２０６、陽極、及び、陰極以外の第１余剰空間内に充填してもよい。当該透明電解液は、透明材背面ケース２０１２と透明材前面ケース２０１１とを結合して形成された密閉された収納チャンバ内で、任意に流動できて、収納チャンバ内の空間の利用率を高めた。或いは、透明電解液、陽極、及び、陰極を、収納チャンバ内に収納された一つの透明容器内に収納させ、当該透明容器を、それぞれ、スクリーンモジュール２０３、メインボードモジュール２０４、部品モジュール２０５、及び、電源モジュール２０６と接続させ、当該透明容器の長さと幅は、それぞれ、透明材背面ケース２０１２の長さと幅と等しくして、透明容器を透明材前面ケース２０１１と透明材背面ケース２０１２との間にモザイクさせてもよい。このように、透明電解液、陽極、及び、陰極を、一つの透明容器内に収納することにより、透明液体電池に対する点検、置換え、等の操作を便利にすることができる。
【００３２】
ここで、電源モジュール２０６は、陽極と陰極の、透明電解液に対する充電する過程を制御するか、或いは、透明電解液の放電する過程を制御する。透明電解液の放電過程において、透明電解液が収納チャンバの第１余剰空間内に充填されているので、透明電解液は、スクリーンモジュール２０３、メインボードモジュール２０４、及び、部品モジュール２０５と接触され、スクリーンモジュール２０３、メインボードモジュール２０４、及び、部品モジュール２０５にそれぞれ、電力を提供できる。
【００３３】
透明電解液の使用過程に発生した微量ガスによるセキュリティリスクを避けるために、第１余剰空間内の透明電解液の充填比は１未満であり、即ち、透明電解液を、透明材背面ケース２０１２と透明材前面ケース２０１１とを結合させて形成した密閉された収納チャンバ内に注入する時に、当該収納チャンバ内に、透明電解液の使用過程に発生したガス保存するための所定の空間を保留する。これに対して、透明電解液、陽極、及び、陰極が一つの透明容器内に収納された時に、当該透明容器内の陽極と陰極以外の第２余剰空間内の、透明電解液の充填比も１未満である。
【００３４】
透明電解液は、リチウム電池の電解液、或いは、その他の電解液であってもよい。また、透明電解液は、充電、及び、放電の過程でガスを発生しないか、或いは、微量のガスを発生するため、密閉空間内の大量のガスの発生によるセキュリティリスクを避けることができる。本実施例においては、電解液の種類を制限しない。
【００３５】
例えば、スクリーンモジュール２０３、メインボードモジュール２０４、及び、部品モジュール２０６は、透明材により外側から密封され、透明電解液が第１余剰空間内に充填されている場合、当該透明材は、耐酸性耐アルカリ性材であるか、或いは、透明材上に耐酸性耐アルカリ性材がメッキされている。
【００３６】
スクリーンモジュール２０３、メインボードモジュール２０４、及び、部品モジュール２０６を透明材で製造する場合、スクリーンモジュール２０３、メインボードモジュール２０４、及び、部品モジュール２０６を、そのまま、収納チャンバ内に収納してもよい。スクリーンモジュール２０３、メインボードモジュール２０４、及び、部品モジュール２０６を透明材でない材料で製造する場合、電子機器の透明性を高めるために、スクリーンモジュール２０３、メインボードモジュール２０４、及び、部品モジュール２０６に、透明材により外側から密封されてもよい。
【００３７】
実際に適用する際に、透明液体電池２０２を透明容器中に収納する場合、透明材で密閉したスクリーンモジュール２０３、メインボードモジュール２０４、及び、部品モジュール２０６を、そのまま、収納チャンバ内に収納してもよい。一般的に、電解液は酸類、又は、塩基類の液体であるため、この場合、当該透明容器を、耐酸性耐アルカリ性材で製造するか、或いは、当該透明容器、及び、電解液接触の表面に、耐酸性耐アルカリ性材をメッキすることにより、透明容器が透明電解液によって腐食されることを防止する。
【００３８】
透明液体電池２０２を、そのまま、収納チャンバ内に収納する場合、透明材背面ケース２０１２と透明材前面ケース２０１１とを結合して形成した密閉空間内に、透明電解液を注入する必要があり、且つ、透明電解液は、一般的に、酸類、又は、塩基類の液体であるため、透明材背面ケース２０１２を非耐酸性耐アルカリ性材で製造する場合には、透明電解液と接触する透明材背面ケース２０１２の表面に耐酸性耐アルカリ性材をメッキする必要ある。このようにして、透明材背面ケース２０１２が透明電解液に腐食させられることを防止する。ここで、非耐酸性耐アルカリ性材は、透明・プレキシガラス、等であってもよい。
【００３９】
同様に、メインボードモジュール２０４は、電子機器の中に内蔵されており、且つ、透明電解液と直接的に接触するため、メインボードモジュール２０４を、耐酸性耐アルカリ性材で構成するか、或いは、耐酸性耐アルカリ性材で密閉性するか、或いは、透明材で密閉性した上で、さらに、当該透明材上に耐酸性耐アルカリ性材をメッキすることにより、電子機器内の透明電解液が当該メインボードモジュール２０４を密閉性する透明材を腐食することを防止する。即ち、メインボードモジュール２０４を密閉性する透明材は耐酸性耐アルカリ性材であるか、或いは、メインボードモジュール２０４を密閉性する透明材上に耐酸性耐アルカリ性材がメッキされている。同様に、スクリーンモジュール２０３を密閉性する透明材は耐酸性耐アルカリ性材であるか、或いは、スクリーンモジュール２０３を密閉性する透明材上に耐酸性耐アルカリ性材がメッキされている。スクリーンモジュール２０３を密閉性する透明材は耐酸性耐アルカリ性材であるか、或いは、スクリーンモジュール２０３を密閉性する透明材上に耐酸性耐アルカリ性材がメッキされている。例えば、さらに、透明材で、メインボードモジュール２０４と部品モジュール２０５とを一体に密閉性してもよい。
【００４０】
例えば、透明材前面ケース２０１１とスクリーンモジュール２０３とを結合させる時に、スクリーンモジュール２０３を透明材前面ケース２０１１に完全に接合してもよい。このようにして、当該スクリーンモジュール２０３を固定し、また、透明電解液を第１余剰空間に充填する際に、当該スクリーンモジュール２０３の透明電解液との接触面積を減らせて、当該スクリーンモジュール２０３が透明電解液に腐食させられる可能性を減らすことができる。スクリーンモジュール２０３と透明材前面ケース２０１１とを完全に接合する際に、ただ、透明電解液と接触するスクリーンモジュール２０３の一つの面に対して、耐酸性耐アルカリ処理を行うだけでよい。
【００４１】
透明電解液が第１余剰空間内に充填されており、且つ、スクリーンモジュール２０３、メインボードモジュール２０４、及び、部品モジュール２０６と、透明材前面ケース２０１１との接触面積が、より小さい場合、透明材前面ケース２０１１は、依然として、透明電解液と接触する場合には、透明材前面ケース２０１１を、例えば、グラスのような耐酸性耐アルカリ性材で製造するか、或いは、例えば、透明プレキシガラスのような非耐酸性耐アルカリ性材で製造し、透明電解液と接触する透明材前面ケース２０１１の表面に耐酸性耐アルカリ性材をメッキすることにより、透明材前面ケース２０１１が透明電解液に腐食させられることを防止する。即ち、透明電解液と透明材前面ケース２０１１とが接触し、且つ、透明材前面ケース２０１１がグラスで製造されると、透明電解液と接触するグラスの表面に、耐酸性耐アルカリ性材をメッキする。
【００４２】
透明材背面ケース２０１２と、透明材前面ケース２０１１とを結合させる際に、透明材背面ケース２０１２と透明材前面ケース２０１１との結合部を、耐酸性耐アルカリ性材で密閉性することにより、透明電解液の漏洩を避ける。
例えば、透明材前面ケース２０１１の材料は、所定の強さのレベルのグラス、或いは、透明プレキシガラスであってもよい。本実施例においては、透明材前面ケース２０１１の製造材料を制限しない。ここでの所定の強さのレベルは、一般的に、高い強さのレベルである。例えば、グラスの強さのレベルを１０個のレベルに区分すると、第８のレベルから第１０のレベルが高い強さのレベルであり、ここでの所定の強さのレベルは、第８のレベル、第９のレベル、及び、第１０レベルの中の任意のレベルである。本実施例においては、透明材背面ケース２０１２の製造材料を、制限しないことを説明する必要がある。
【００４３】
例えば、透明材背面ケース２０１２上に、電子機器の中に内蔵する一部の部品の設置位置を予め用意してもよい。例えば、一般的に、電子機器の背面ケースに、カメラとフラッシュとの設置位置を予め用意する必要があるため、透明材背面ケース２０１２において、ホール２０１２ａとホール２０１２ｂとを予め用意する。ここで、ホール２０１２ａは、部品モジュール２０５の中のカメラモジュールに含まれるカメラを設置するためのホールであり、ホール２０１２ｂは、部品モジュール２０５の中のカメラモジュールに含まれるフラッシュを設置するためのホールである。当然ながら、透明材背面ケース２０１２に、さらに、その他の内蔵する部品の設置位置を予め用意してもよく、本実施例においては、透明材背面ケース２０１２におけるホールの数と形状を制限しない。
【００４４】
透明材背面ケース２０１２上に設置位置が予め用意されている場合、耐酸性耐アルカリ性材で設置位置を密閉性して、透明電解液の漏洩を防止してもよい。
例えば、透明材背面ケース２０１２が透明なものであるため、透明材背面ケース２０１２に、ホール２０１２ａとホール２０１２ｂとを予め用意しなくてもよい。カメラモジュールは、当該透明材背面ケース２０１２を透過して正常に撮影でき、カメラモジュールの中のフラッシュは、当該透明材背面ケース２０１２を透過して正常に光を照射できる。
【００４５】
例えば、透明材前面ケース２０１１上には、一部の機能キーの設置位置が設置されている。機能キーは、図２Ｂに示したような電源キー２０１１ａ、ボリュームキー２０１１ｂ、受話器２０１１ｃ、ＵＳＢ（Ｕｎｉｖｅｒｓａｌ Ｓｅｒｉａｌ Ｂｕｓ）インターフェイス２０１１ｄ等であってもよい。
【００４６】
例えば、メインボードモジュール２０４中の回路基板は、所定の形状を有する回路基板である。
ここでの所定の形状を有する回路基板とは、メーカーが、互いに異なる要求に従って設計した互いに異なる形状の回路基板であり、ユーザの要求を適当に満足させることができる。当然ながら、ユーザは、例えば、ドラえもん、キティちゃん、ガーフィールド、等の形状のような、自分が欲しい回路基板の形状を注文してもよい。
【００４７】
部品モジュール２０５は、それぞれ、少なくとも一種のカラーの光を出射できる、少なくとも一つのライトを備え、少なくとも一つのライトそれぞれは、メインボードモジュール２０４、及び、透明液体電池２０２に接続されている。
ここで、ライトそれぞれは、少なくとも一種のカラーの光を出射することができる。例えば、一つのライトは青い光を出射し、もう一つのライトは緑の光を出射し、さらにもう一つのライトは黄色い光を出射し、別の一つのライトは赤い光を出射する。
本実施例において、ライトそれぞれは、メインボードモジュール２０４、及び、透明液体電池２０２に接続される。当該メインボードモジュール２０４は、ライトのオンとオフを制御し、透明液体電池２０２はライトに電力を提供する。
【００４８】
例えば、電子機器は、カラーセンサをさらに備え、当該カラーセンサは、それぞれ、メインボードモジュール２０４、及び、透明液体電池２０２に接続される。
本実施例において、カラーセンサは、それぞれ、メインボードモジュール２０４、及び、透明液体電池２０２に接続され、当該メインボードモジュール２０４はカラーセンサのオンとオフを制御し、透明液体電池２０２はカラーセンサに電力を提供する。
透明電子機器全体は、防水するように設計されて、透明電解液の漏洩を防止する同時に、外部の液体の透明電子機器の内部への侵入を防止できることを説明する必要がある。
【００４９】
上記のように、本発明に係る実施例によって提供する電子機器によると、スクリーンモジュールを有する透明材前面ケース、透明材で密閉性した内蔵部品、透明液体電池、及び、透明材背面ケースを結合させて、一つの透明の電子機器を構成する。このように、透明材を使用して電子機器を製造するため、電子機器が透明の特性を有することができるようにして、電子機器の背面ケースに透明の保護カバーを追加する必要がなくなった。このようにして、透明の保護カバーを追加するため、電子機器の放熱性能が低下する問題を解決した上で、電子機器の全体的な透明感を高める効果を得た。
【００５０】
本発明に係る実施例によって提供する電子機器によると、透明電解液を用いて電子機器に電力を提供する。透明電解液は、空間を充分に利用できるため、固体電池を用いて電子機器に電力を提供する際に、電子機器の空間の利用率がより低の問題を解決して、電子機器の空間の利用率を高める効果を得た。
【００５１】
本発明に係る実施例によって提供する電子機器によると、所定の強さのレベルのグラスを使用するか、或いは、プレキシガラス材料で透明材前面ケースを製造する。このようにして、電子機器のスクリーンと前面ケースとが、外部の圧力を受ける際に、粉砕、或いは損傷し易い問題を解決して、電子機器に内蔵された部品を保護でき、電子機器の使用寿命を改善する効果を得た。
【００５２】
図３Ａは、例示的な一実施例に係る電子機器の使用方法を示すフローチャートである。当該使用方法は、図２Ａに示した電子機器に適用されてもよい。図３Ａに示したように、当該電子機器の使用方法は、以下のステップを含む。
【００５３】
ステップ３０１において、メインボードモジュールを用いて、スクリーンモジュールがバブル形状のアイコンであるバブルアイコンを表示させるように、制御する。
電子機器は、メインボードモジュールを用いて、スクリーンモジュールがスクリーン上にバブル形状のアイコンを表示するように制御する。図３Ｂは、例示的な一実施例に係る電子機器によるバブルアイコンの表示を示す模式図である。図３Ｂに示したように、電子機器は、メインボードモジュールを用いて、スクリーンモジュールを制御して、スクリーン上に、カメラ、アルバム、音楽、テーマ等のバブル形状のアイコンを表示した。
【００５４】
ステップ３０２において、メインボードモジュールを用いて、バブルアイコンに対する操作命令を受信したか否かを検出する。
本実施例において、スクリーンはタッチ機能を有し、ユーザが、バブルアイコンを操作しようとする際に、スクリーン上で当該バブルアイコンをクリックすると、電子機器は操作命令を受信できる。
【００５５】
ステップ３０３において、メインボードモジュールを用いて、バブルアイコンに対する操作命令を受信したことを検出した場合、スクリーンモジュールがバブルアイコンが崩壊される模式的アニメーションを再生させるように、制御する。
ここで、バブルアイコンが崩壊される模式的アニメーションは、電子機器に予め保存されて、電子機器が操作命令を受信した後に、メインボードモジュールを用いて、再生器が当該模式的アニメーションを再生するように制御し、さらに、スクリーンモジュールが再生する模式的アニメーションを表示させるように制御する。
【００５６】
ステップ３０４において、メインボードモジュールを用いて、スクリーンモジュールが、バブルアイコンに対応する操作インターフェイスを表示させるように制御する。
図３Ｃは、例示的な一実施例に係る電子機器によるバブルアイコンに対応するインターフェイスの表示を示す模式図である。図３Ｃに示したように、ユーザがバブル形状のカメラアイコンをクリックすると、電子機器は、メインボードモジュールを用いて、スクリーンモジュールがスクリーン上にバブル形状のカメラアイコンが崩壊される模式的アニメーションを再生させ、そして、撮影インターフェイスに進むように制御する。
【００５７】
上記のように、本発明に係る実施例によって提供する電子機器の使用方法によると、メインボードモジュールを用いて、スクリーンモジュールがバブルアイコンを表示させるように制御に、さらに、バブルアイコンに対する操作命令を受信した後に、スクリーンモジュールがバブルアイコンが崩壊される模式的アニメーションを再生するように制御する。このようにして、透明電解液の特性によって、アイコンをバブル形状に設定することにより、普通のアイコンが無味乾燥である問題を解決して、電子機器全体の表示効果を高める効果を得た。
【００５８】
図４は、例示的な一実施例に係る電子機器の使用方法を示すフローチャートである。当該使用方法は、図２Ａに示した、少なくとも一つのライトを有する電子機器に適用されてもよい。図４に示したように、当該電子機器の使用方法は、以下のステップを含む。
【００５９】
ステップ４０１において、メインボードモジュールを用いて、スクリーンモジュールが表示させた背景カラーを読取る。
ここで、メインボードモジュールは、スクリーンモジュールが表示した画面を読取し、さらに、当該画面の背景カラーを識別できる。当該画面中のカラーがより多い場合には、全てのカラーを抽出して、少なくとも二種の背景カラーを得るか、或いは、各種類のカラーの表示比を取得して、表示比が最も大きいカラーを当該画面の背景カラーとして抽出する。
【００６０】
ステップ４０２において、メインボードモジュールを用いて、少なくとも一つのライトが背景カラーに対応する光を出射するように制御する。
メインボードモジュールが一つのカラーの背景カラーを抽出した場合には、一つのライトが背景カラーに対応する光を出射するように制御し、メインボードモジュールが少なくとも二つの背景カラーを抽出した場合には、少なくとも二つのライトがそれぞれの背景カラーに対応する光を出射するように制御する。少なくとも二つのライトを制御する際には、当該少なくとも二つのライトが同時に光を出射するように制御してもよく、当該少なくとも二つのライトが所定の順番に従って交互に光を出射するように制御してもよい。例えば、背景カラーの表示比が小さくなる順番、或いは、ランダム順番に従って光を出射するように制御する。
【００６１】
例えば、電子機器は、メインボードモジュールを用いて、スクリーンモジュールが表示させた背景カラーを緑のカラーとして読取した場合、メインボードモジュールを用いて、部品モジュールに含まれたライトを制御して、少なくとも一つのライトが読取した背景カラーと同じカラー、即ち、緑のカラーの光を出射するようにして、電子機器を緑のカラーに設定する。
【００６２】
上記のように、本発明に係る実施例によって提供する電子機器の使用方法によると、メインボードモジュールを用いて、スクリーンモジュールが表示させた背景カラーを読取し、少なくとも一つのライトが背景カラーに対応する光を出射するように制御する。このようにして、電子機器がスクリーンに表示された背景カラーに基づいて、自身のカラーを変更できるため、電子機器のカラーが単調で、カラーを変更できない問題を解決して、電子機器のカラーを豊富化する効果を得た。
【００６３】
図５は、例示的な一実施例に係る電子機器の使用方法を示すフローチャートである。当該使用方法は、図２Ａに示した、少なくとも一つのライトを有する電子機器に適用されてもよい。図５に示したように、当該電子機器の使用方法は、以下のステップを含む。
【００６４】
ステップ５０１において、メインボードモジュールを用いて、ユーザによりトリガされた、第１カラー情報が付加されたカラー命令を受信する。
ここで、カラー命令中には、電子機器のカラーを指示するための第１カラー情報が付加されている。例えば、ユーザが、電子機器のカラーを緑のカラーに設定しようとする場合、ユーザによりトリガされたカラー命令中に付加された第１カラー情報は緑のカラーである。
【００６５】
本実施例において、カラー命令は、設定インターフェイスにおいてトリガされる。例えば、電子機器は、電子機器の全てのカラーを表示し、ユーザは、表示されたカラーの中からカラーを選択して、カラー命令を生成する。或いは、電子機器は、所定の操作を検出した後に、カラー命令を生成する。例えば、ダブルクリックの操作を受信すると、カラー命令を生成する。
【００６６】
ステップ５０２において、メインボードモジュールを用いて、少なくとも一つのライトが第１カラー情報に対応する光を出射するように制御する。
電子機器は、メインボードモジュールを用いてカラー命令を受信した後に、メインボードモジュールを用いて、第１カラー情報を読取し、少なくとも一つのライトが第１カラー情報に対応する光を出射するように制御する。
【００６７】
例えば、ユーザは、電子機器のカラーを緑のカラーに設定しようとする場合、設定インターフェイスに表示された命令の中から、緑のカラーを選択して、カラー命令を生成する。この時、当該カラー命令に付加された第１カラー情報は、緑のカラーである。電子機器は、メインボードモジュールを用いてカラー命令を受信した後に、さらに、メインボードモジュールを用いて、部品モジュールの中のライトを制御して、少なくとも一つのライトが第１カラー情報と同じカラー、即ち、緑のカラー光を出射するようにして、電子機器を緑のカラーに設定する。
【００６８】
上記のように、本発明に係る実施例によって提供する電子機器の使用方法によると、メインボードモジュールを用いて、ユーザによりトリガされたカラー命令を受信し、少なくとも一つのライトが当該カラー命令中の第１カラー情報に対応する光を出射するように制御する。このようにして、ユーザは自分が要求に基づいて電子機器のカラーを変更できるため、電子機器自身のカラーが単調で、変更しにくい問題を解決して、電子機器のカラーを豊富化して、ユーザーエクスペリエンスを高める効果を得た。
【００６９】
図６は、例示的な一実施例に係る電子機器の使用方法を示すフローチャートである。当該使用方法は、図２Ａに示した、少なくとも一つのライトを有する電子機器に適用されてもよい。図６に示したように、当該電子機器の使用方法は、以下のステップを含む。
【００７０】
ステップ６０１において、他の電子機器と通話する際に、メインボードモジュールを用いて、他の電子機器のＩＤ情報を取得する。
ここで、他の電子機器との通話は、電子機器が自発的に発した通話でもよいし、他の電子機器が自発的に発した通話であってもよい。本実施例においては、通話を発した方を制限しない。また、通話はコールして接続される前の通話であってもよいし、コールして接続された後の通話であってもよい。本実施例においては、通話に対して制限しない。
ＩＤ情報は、他の電子機器のＩＤを認識するためのものである。例えば、ＩＤ情報は、電話番後、名前、グループの中の少なくとも一つを含んでもよい。
【００７１】
ステップ６０２において、予め設定した対応関係中から、メインボードモジュールを用いて、ＩＤ情報に対応する第２カラー情報を読取る。
予め設定した関係は、ＩＤ情報と、第２カラー情報との間の一対一の対応関係であり、電子機器に予め保存されていてもよい。例えば、対応関係の中で、身内グループと赤のカラーとが対応される場合、メインボードモジュールを用いて読取したＩＤ情報が示す他の電子機器が身内グループに属する際に、対応関係の中から第２カラー情報を赤のカラーとして読取る。
【００７２】
ステップ６０３において、メインボードモジュールを用いて、少なくとも一つのライトが第２カラー情報に対応する光を出射するように制御する。
電子機器は、メインボードモジュールを用いて第２カラー情報を受信した後、少なくとも一つのライトが第２カラー情報に対応する光を出射するように制御する。
【００７３】
例えば、ユーザは、全ての連絡先をグループ分けし、また、予め設定した関係の中に対応するカラーを設定する。例えば、ユーザは、連絡先を、友達、同僚、身内、及び、見知らぬ人、等のグループにグループ分けし、また、友達グループに緑のカラーを対応させ、同僚グループに黄色いカラーを対応させ、身内グループに赤のカラーを対応させ、見知らぬ人グループに灰色を対応させる。電子機器は、電話を受信する際に、電子機器メインボードモジュールを用いて、着信連絡先のＩＤ情報を取得し、当該着信連絡先がユーザの身内である場合には、メインボードモジュールを用いて、身内グループに対応するカラーを赤のカラーとして読取して、さらに、メインボードモジュールを用いて、部品モジュールに含まれたライトが赤い光を出射するように制御することにより、ユーザに着信連絡先が身内であることを通知する。
【００７４】
上記のように、本発明に係る実施例によって提供する電子機器の使用方法によると、他の電子機器と通話する際に、メインボードモジュールを用いて、他の電子機器のＩＤ情報を取得し、予め設定した対応関係中から、メインボードモジュールを用いて、ＩＤ情報に対応する第２カラー情報を読取して、メインボードモジュールを用いて、少なくとも一つのライトが第２カラー情報に対応する光を出射するように制御する。このようにして、電子機器のカラーを変更することにより、ユーザに、着信連絡先のＩＤ情報を通知することができるため、着信した際に着信連絡先のＩＤ情報を直観的に表示できない問題を解決して、着信連絡先をユーザに速く通知できる効果を得た。
【００７５】
図７は、例示的な一実施例に係る電子機器の使用方法を示すフローチャートである。当該使用方法は、図２Ａに示した、カラーセンサと少なくとも一つのライトとを有する電子機器に適用されてもよい。図７に示したように、当該電子機器の使用方法は、以下のステップを含む。
【００７６】
ステップ７０１において、カラーセンサを用いて、電子機器が位置する環境の環境カラーを取得する。
ここで、カラーセンサは、電子機器が位置する環境の環境カラーを検出するためのものである。例えば、電子機器が白いカラーの環境に検出する場合、カラーセンサを用いて環境カラーを白いカラーとして検出する。
【００７７】
ステップ７０２において、メインボードモジュールを用いて、少なくとも一つのライトが環境カラーに対応する光を出射するように制御する。
カラーセンサは、環境カラーをメインボードモジュールに送信し、メインボードモジュールは、環境カラーに基づいて、少なくとも一つのライトが環境カラーに対応する光を出射するように制御する。
【００７８】
例えば、電子機器を白いカラーのテーブルに放置した際に、電子機器は、カラーセンサを用いて自身が位置する環境の環境カラーを白いカラーとして取得し、さらに、メインボードモジュールを用いて、部品モジュールに含まれたライトを制御して、少なくとも一つのライトを用いて白いカラーの光を出射するようにする。
【００７９】
上記のように、本発明に係る実施例によって提供する電子機器の使用方法によると、カラーセンサを用いて電子機器が位置する環境の環境カラーを取得して、少なくとも一つのライトが境カラーに対応する光を出射するように制御する。こうして、周囲の環境のカラーに基づいて自動的に電子機器のカラーを変更できるため、電子機器のカラーが単調である問題を解決して、電子機器のカラーを豊富化し、電子機器の透明感を高める効果を得た。
【００８０】
図８Ａは、例示的な一実施例に係る電子機器の使用方法を示すフローチャートである。当該使用方法は、図２Ａに示した、陽極と陰極とを有する電子機器に適用されてもよい。図８Ａに示したように、当該電子機器の使用方法は、以下のステップを含む。
【００８１】
ステップ８０１において、メインボードモジュールを用いて、陽極に対応するスクリーンモジュール上における第１位置、及び、陰極に対応するスクリーンモジュール上における第２位置を取得する。
スクリーンモジュールが透明材から構成されるため、陽極に対応するスクリーンモジュール上における第１位置が、陽極の設置位置である、陰極に対応するスクリーンモジュール上における第２位置が、陰極の設置位置である。ここで、設置位置は電子機器に予め保存されてもよい。メインボードモジュールを用いて、設置位置を読取してもよい。
【００８２】
ステップ８０２において、電子機器が充電状態にいる際に、メインボードモジュールを用いて、スクリーンモジュールが、第１位置と第２位置との間での電流の流動を示す模式的アニメーションを再生するように制御するか、或いは、メインボードモジュールを用いて、スクリーンモジュールが、第１位置と第２位置とにおいてのバブルの生成を示す模式的アニメーションを再生するように制御するか、或いは、メインボードモジュールを用いて、スクリーンモジュールが、第１位置と第２位置から、それぞれ、スクリーンモジュールが表示した電池への電流の流動を示す模式的アニメーションを再生するように制御する。
【００８３】
図８Ｂは、例示的な一実施例に係る電子機器の充電インターフェイスを示す模式図である。図８Ｂに示したように、電子機器は、充電状態にいる際に、メインボードモジュールを用いて、スクリーンモジュールを制御して、スクリーンにおける二つの電極棒にそれぞれ対応する位置の間で、電流の流動を示す模式的アニメーションを再生させることにより、陽極と陰極とが透明電解液による充電過程にいることを示す。ここで、第１位置と第２位置との間で流動する電流を、バブルによって実現してもよい。なお、バブルの大きさと、電流の大きさとは、比例する。即ち、電流が大きいほど、バブルが大きい。
【００８４】
メインボードモジュールは、スクリーンモジュールを制御して、スクリーン上に電池のアイコンを表示する際に、さらに、スクリーンを制御して、電流が第１位置と第２位置とからそれぞれ電池へ流動する模式的アニメーションを再生させてもよい。
【００８５】
上記のように、本発明に係る実施例によって提供する電子機器の使用方法によると、メインボードモジュールを用いて、陽極に対応するスクリーンモジュール上における第１位置、及び、陰極に対応するスクリーンモジュール上における第２位置を取得して、充電状態にいる際に、メインボードモジュールを用いて、スクリーンモジュールが、電流が第１位置と第２位置との間で流動することを示す模式的アニメーションを再生するように制御する。こうして、充電する際に、電子機器の透明な特性によって、電極棒のスクリーン上に対応する位置に電流動画を表示できるため、一般の電子機器が充電する際の無味乾燥の問題を解決して、ユーザーエクスペリエンスを高め、面白さを高める効果を得た。
【００８６】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【００８７】
本願は、出願番号がＣＮ２０１４１０５５３７８２.１であって、出願日が２０１４年１０月１７日である中国特許出願に基づいて優先権を主張し、当該中国特許出願のすべての内容を援用する。
【図３Ａ】
2016540468.tif 000003
【図４】
2016540468.tif 000004
【図５】
2016540468.tif 000005
【図６】
2016540468.tif 000006
【図７】
2016540468.tif 000007
【図８Ａ】
2016540468.tif 000008
【図１】
2016540468.tif 000009
【図２Ａ】
2016540468.tif 000010
【図２Ｂ】
2016540468.tif 000011
【図３Ｂ】
2016540468.tif 000012
【図３Ｃ】
2016540468.tif 000013
【図８Ｂ】
2016540468.tif 000014
【手続補正書】
【提出日】平成27年5月15日(2015.5.15)
【手続補正１】
【補正対象書類名】明細書
【補正対象項目名】全文
【補正方法】変更
【補正の内容】
【発明の詳細な説明】
【技術分野】
【０００１】
本発明は、電子機器の製造分野に関し、特に、電子機器、電子機器の使用方法、プログラム及び記録媒体に関する。
【背景技術】
【０００２】
電子機器の発展に伴い、電子機器の外観も多様化の発展の傾向が現れた。例えば、電子機器のために、特定のカラーのシェルを製造するか、或いは、電子機器に特定のカラーの保護カバーを装着してもよい。
電子機器の外観に透明の特性を付与して、ユーザの電子機器の外観に対する要求を満たすために、ユーザは、電子機器の背面ケースに、外部のカラーの変化に従ってカラーが変化できる、透明の保護カバーを追加してもよい。
【０００３】
発明者は、本発明を実現する過程において、関連技術には、少なくとも、以下の欠点が存在することを発見した。即ち、電子機器の背面ケースに、透明の保護カバーをさらに追加するため、電子機器の放熱を妨害されるため、電子機器の放熱性能が低下する。
【発明の概要】
【発明が解決しようとする課題】
【０００４】
関連技術での透明の保護カバーを追加することによる電子機器の放熱性能が低下する問題を解決するために、本発明は、電子機器、電子機器の使用方法、プログラム及び記録媒体を提供する。前記構成は、以下のとおりである。
【課題を解決するための手段】
【０００５】
本発明の実施例に係る第１態様によると、電子機器を提供する。
透明材ケースと、透明液体電池とを含み、前記透明材ケースは、一つの密閉された収納チャンバを構成し、前記収納チャンバ内には、前記透明液体電池、スクリーンモジュール、メインボードモジュール、部品モジュール、及び、電源モジュールが収納され、
前記メインボードモジュールは、透明材から構成された前記スクリーンモジュールと接続され、
前記メインボードモジュールは、前記部品モジュールと接続され、
前記メインボードモジュールは、前記電源モジュールと接続される。
【０００６】
例えば、前記透明液体電池は、透明電解液、陽極、及び、陰極を含み、
前記透明電解液は、
前記収納チャンバ内の、前記スクリーンモジュール、前記メインボードモジュール、前記部品モジュール、前記電源モジュール、前記陽極、及び、前記陰極以外の空間である、第１余剰空間内に充填されるか、
或いは、
前記収納チャンバ内に収納された透明容器内の、前記陽極、及び、前記陰極以外の空間である、第２余剰空間内に充填される。
【０００７】
例えば、前記第１余剰空間内の前記透明電解液の充填比は１未満であるか、或いは、前記第２余剰空間内の前記透明電解液の充填比は１未満である。
例えば、前記スクリーンモジュール、前記メインボードモジュール、及び、前記部品モジュールは、透明材により外側から密封され、
前記透明電解液が前記第１余剰空間内に充填される場合、前記透明材は耐酸性耐アルカリ性材であるか、或いは、前記透明材上に耐酸性耐アルカリ性材がメッキされている。
【０００８】
例えば、前記メインボードモジュール中の回路基板は、所定の形状を有する回路基板である。
例えば、前記部品モジュールは、それぞれ、少なくとも一種のカラーの光を出射できる、少なくとも一つのライトを含み、
各々のライトは、それぞれ、前記メインボードモジュール、及び、前記透明液体電池に接続される。
【０００９】
例えば、前記部品モジュールは、カラーセンサをさらに含み、
前記カラーセンサは、前記メインボードモジュール、及び、前記透明液体電池に接続される。
例えば、透明材ケースは、前記収納チャンバを構成する透明材前面ケース及び透明材背面ケースを含み、
前記透明材前面ケースは、前記スクリーンモジュールと接続される。
【００１０】
本発明の実施例に係る第２態様によると、電子機器の使用方法を提供する。
前記電子機器の使用方法は、
前記メインボードモジュールを用いて、前記スクリーンモジュールがバブル形状のアイコンであるバブルアイコンを表示させるように、制御するステップと、
前記メインボードモジュールを用いて、前記バブルアイコンに対する操作命令を受信したか否かを検出するステップと、
前記メインボードモジュールを用いて、前記バブルアイコンに対する操作命令を受信したことを検出した場合、前記スクリーンモジュールが、前記バブルアイコンが崩壊される模式的アニメーションを再生するように制御するステップと、
前記メインボードモジュールを用いて、前記スクリーンモジュールが、前記バブルアイコンに対応する操作インターフェイスを表示させるように制御するステップと
を含む。
【００１１】
例えば、前記電子機器の使用方法は、
前記メインボードモジュールを用いて、前記スクリーンモジュールが表示する背景カラーを読取るステップと、
前記メインボードモジュールを用いて、前記少なくとも一つのライトが前記背景カラーに対応する光を出射するように制御するステップと
を含む。
【００１２】
例えば、前記電子機器の使用方法は、
前記メインボードモジュールを用いて、ユーザによりトリガされた、第１カラー情報が付加されたカラー命令を受信するステップと、
前記メインボードモジュールを用いて、前記少なくとも一つのライトが前記第１カラー情報に対応する光を出射するように制御するステップと
を含む。
【００１３】
例えば、前記電子機器の使用方法は、
前記メインボードモジュールを用いて、他の電子機器と通話する際に、前記他の電子機器のＩＤ情報を取得するステップと、
前記メインボードモジュールを用いて、予め設定した対応関係中から、前記ＩＤ情報に対応する第２カラー情報を読取るステップと、
前記メインボードモジュールを用いて、前記少なくとも一つのライトが前記第２カラー情報に対応する光を出射するように制御するステップと
を含む。
【００１４】
例えば、前記電子機器の使用方法は、
前記カラーセンサを用いて、前記電子機器が位置する環境の環境カラーを取得するステップと、
前記メインボードモジュールを用いて、前記少なくとも一つのライトが前記環境カラーに対応する光を出射するように制御するステップと
を含む。
【００１５】
例えば、前記電子機器の使用方法は、
前記メインボードモジュールを用いて、前記スクリーンモジュール上における前記陽極に対応する位置である第１位置、及び、前記スクリーンモジュール上における前記陰極に対応する位置である第２位置を取得するステップと、
前記電子機器が充電状態にいる際に、前記メインボードモジュールを用いて、前記スクリーンモジュールが、前記第１位置と前記第２位置との間で電流が流れていることを示す模式的アニメーションを再生するように制御するか、或いは、前記第１位置と前記第２位置とにおいてバブルが生成されていることを示す模式的アニメーションを再生するように制御するか、或いは、前記第１位置と前記第２位置のそれぞれから電流が前記スクリーンモジュールが表示した電池へ流れていることを示す模式的アニメーションを再生するように制御するステップと
を含む。
本発明の実施例に係る第３態様によると、プロセッサに実行されることにより、上記の電子機器の使用方法を実現するプログラムを提供する。
本発明の実施例に係る第４態様によると、上記プログラムが記録された記録媒体を提供する。
【００１６】
本発明の実施例が提供する構成の有益な効果は以下のとおりである。
透明材ケースにおいて形成された密閉された収納チャンバ内に、透明液体電池、スクリーンモジュール、メインボードモジュール、部品モジュール、及び、電源モジュールを収納し、ここで、メインボードモジュールはスクリーンモジュールと接続され、メインボードモジュールは部品モジュールと接続され、メインボードモジュールは電源モジュールと接続される。このように、透明材を使用して電子機器を製造するため、電子機器が透明の特性を有することができるようにして、電子機器の背面ケースに透明の保護カバーを追加する必要がなくなった。こうして、透明の保護カバーを追加するため、電子機器の放熱性能が低下する問題を解決した上で、電子機器の全体的な透明感を高める効果を得た。
以上の統括な記述と以下の細部記述は、ただ例示的なものであり、本発明を制限するものではないと、理解するべきである。
【図面の簡単な説明】
【００１７】
以下の図面は、明細書の一部分として明細書全体を構成することにより、本発明に合致する実施例を例示するとともに、本発明の原理を解釈するためのものである。
【００１８】
【図１】図１は、例示的な一実施例に係る電子機器の構成を示す模式図である。
【図２Ａ】図２Ａは、例示的なもう一実施例に係る電子機器の構成を示す模式図である。
【図２Ｂ】図２Ｂは、例示的な一実施例に係る電子機器の結合を示す模式図である。
【図３Ａ】図３Ａは、例示的な一実施例に係る電子機器の使用方法を示すフローチャートである。
【図３Ｂ】図３Ｂは、例示的な一実施例に係る電子機器によるバブルアイコンの表示を示す模式図である。
【図３Ｃ】図３Ｃは、例示的な一実施例に係る電子機器によるバブルアイコンに対応するインターフェイスの表示を示す模式図である。
【図４】図４は、例示的な一実施例に係る電子機器の使用方法を示すフローチャートである。
【図５】図５は、例示的な一実施例に係る電子機器の使用方法を示すフローチャートである。
【図６】図６は、例示的な一実施例に係る電子機器の使用方法を示すフローチャートである。
【図７】図７は、例示的な一実施例に係る電子機器の使用方法を示すフローチャートである。
【図８Ａ】図８Ａは、例示的な一実施例に係る電子機器の使用方法を示すフローチャートである。
【図８Ｂ】図８Ｂは、例示的な一実施例に係る電子機器の充電インターフェイスを示す模式図である。
【発明を実施するための形態】
【００１９】
ここで、例示的な実施例を詳細に説明する。また、説明中の例は、図面に示している。以下の記述において、図面を説明する際に特に説明しない場合、異なる図面中の同一の符号は、同一或いは同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び、方法の例に過ぎない。
【００２０】
図１は、例示的な一実施例に係る電子機器の構成を示す模式図である。図１に示したように、当該電子機器は、一つの密閉された収納チャンバを構成する透明材ケース１０１と、透明液体電池１０２とを含んでもよいが、これに制限されない。収納チャンバ内には、透明液体電池１０２、スクリーンモジュール１０３、メインボードモジュール１０４、部品モジュール１０５、及び、電源モジュール１０６が収納される。
【００２１】
メインボードモジュール１０４は、透明材から構成されたスクリーンモジュール１０３と接続される。
メインボードモジュール１０４は、部品モジュール１０５と接続される。
メインボードモジュール１０４は、電源モジュール１０６と接続される。
【００２２】
上記のように、本発明に係る実施例によって提供する電子機器によると、透明材ケースにおいて形成された密閉された収納チャンバ内に、透明液体電池、スクリーンモジュール、メインボードモジュール、部品モジュール、及び、電源モジュールを収納し、ここで、メインボードモジュールはスクリーンモジュールと接続され、メインボードモジュールは部品モジュールと接続され、メインボードモジュールは電源モジュールと接続される。このように、透明材を使用して電子機器を製造するため、電子機器が透明の特性を有することができるようにして、電子機器の背面ケースに透明の保護カバーを追加する必要がなくなった。このようにして、透明の保護カバーを追加するため、電子機器の放熱性能が低下する問題を解決した上で、電子機器の全体的な透明感を高める効果を得た。
【００２３】
図２Ａは、例示的なもう一実施例に係る電子機器の構成を示す模式図である。図２Ａに示したように、当該電子機器は、一つの密閉された収納チャンバを構成する透明材ケース２０１と、透明液体電池２０２と含んでもよいが、これに制限されない。収納チャンバ内には、透明液体電池２０２、スクリーンモジュール２０３、メインボードモジュール２０４、部品モジュール２０５、及び、電源モジュール２０６が収納される。
【００２４】
メインボードモジュール２０４は、透明材から構成されたスクリーンモジュール２０３と接続される。
メインボードモジュール２０４は、部品モジュール２０５と接続される。
メインボードモジュール２０４は、電源モジュール２０６と接続される。
【００２５】
ここで、メインボードモジュール２０４は、スクリーンモジュール２０３と接続されて、スクリーンモジュール２０３の表示を制御できる。当該スクリーンは、透明材から構成され、電子機器の透明性を保証した。メインボードモジュール２０４は、さらに、部品モジュール２０５と接続されて、部品モジュール２０５を制御できる。当該部品モジュール２０５は、カメラ、フラッシュ、距離センサ、等を含んでもよい。メインボードモジュール２０４は、さらに、電源モジュール２０６と接続されて、電源モジュール２０６の透明液体電池２０２に対する管理を制御できる。当該電源モジュール２０６は、充電チップ、充電電極、等を含んでもよい。
【００２６】
本実施例において、透明材ケース２０１は、透明材を使用して一体に成型したケースに製造されて、ケースの密閉性を保証し、収納チャンバ内の各モジュールの動作環境の清潔を維持する。或いは、透明材ケース２０１は、透明材を使用して、透明材前面ケース２０１１、及び、透明材背面ケース２０１２を製造して、透明材前面ケース２０１１と透明材背面ケース２０１２とを組み立てて、透明材ケース２０１を形成してもよい。
【００２７】
例えば、透明材ケース２０１は、透明材前面ケース２０１１、及び、透明材背面ケース２０１２を含み、透明材前面ケース２０１１と透明材背面ケース２０１２から密閉された収納チャンバを形成する。透明材前面ケース２０１１とスクリーンモジュール２０３とは結合される。
ここで、透明材背面ケース２０１２と、透明材前面ケース２０１１とを結合させる際に、透明材背面ケース２０１２と、透明材前面ケース２０１１とは、プラスチック製のバックルを用いて結合される。或いは、透明材ケース２０１の密閉性を高めるために、透明材背面ケース２０１２を、透明材前面ケース２０１１中にモザイクさせてもよい。この場合、透明材背面ケース２０１２の面積は、透明材前面ケース２０１１の面積より、若干、小さい。このようにして、透明材背面ケース２０１２と透明材前面ケース２０１１とを結合させる際に、完全に一致させることができる。
【００２８】
図２Ｂは、電子機器の結合を示した模式図である。図２Ｂは、透明材背面ケース２０１２と、透明材前面ケース２０１１とが、すべて、角丸長方形である例を挙げて、説明する。また、透明材背面ケース２０１２の面積は、透明材前面ケース２０１１の面積より、若干、小さい。透明材背面ケース２０１２と透明材前面ケース２０１１とを結合した後に、透明材背面ケース２０１２を透明材前面ケース２０１１中にモザイクさせることにより、透明材背面ケース２０１２と透明材前面ケース２０１１との結合部位を密閉させる。
【００２９】
透明材背面ケース２０１２、及び、透明材前面ケース２０１１の形状は、角丸がない長方形、等のその他の形状であってもよく、本実施例においては、透明材背面ケース２０１２、及び、透明材前面ケース２０１１の形状に対して制限しないことを説明する必要がある。
【００３０】
本実施例において、透明液体電池２０２は、透明電解液、陽極、及び、陰極を含んでもよい。透明電解液は、収納チャンバ中の、スクリーンモジュール２０３、メインボードモジュール２０４、部品モジュール２０５、電源モジュール２０６、陽極、及び、陰極以外の第１余剰空間内に充填されるか、或いは、透明容器中の、陽極、及び、陰極以外の第２余剰空間内に充填されてもよい。当該透明容器は、収納チャンバ内に収納される。
【００３１】
例えば、透明液体電池２０２が透明電解液である場合、陽極と陰極とを収納チャンバ内に収納し、また、透明電解液を収納チャンバ内の、スクリーンモジュール２０３、メインボードモジュール２０４、部品モジュール２０５、電源モジュール２０６、陽極、及び、陰極以外の第１余剰空間内に充填してもよい。当該透明電解液は、透明材背面ケース２０１２と透明材前面ケース２０１１とを結合して形成された密閉された収納チャンバ内で、任意に流動できて、収納チャンバ内の空間の利用率を高めた。或いは、透明電解液、陽極、及び、陰極を、収納チャンバ内に収納された一つの透明容器内に収納させ、当該透明容器を、それぞれ、スクリーンモジュール２０３、メインボードモジュール２０４、部品モジュール２０５、及び、電源モジュール２０６と接続させ、当該透明容器の長さと幅は、それぞれ、透明材背面ケース２０１２の長さと幅と等しくして、透明容器を透明材前面ケース２０１１と透明材背面ケース２０１２との間にモザイクさせてもよい。このように、透明電解液、陽極、及び、陰極を、一つの透明容器内に収納することにより、透明液体電池に対する点検、置換え、等の操作を便利にすることができる。
【００３２】
ここで、電源モジュール２０６は、陽極と陰極の、透明電解液に対する充電する過程を制御するか、或いは、透明電解液の放電する過程を制御する。透明電解液の放電過程において、透明電解液が収納チャンバの第１余剰空間内に充填されているので、透明電解液は、スクリーンモジュール２０３、メインボードモジュール２０４、及び、部品モジュール２０５と接触され、スクリーンモジュール２０３、メインボードモジュール２０４、及び、部品モジュール２０５にそれぞれ、電力を提供できる。
【００３３】
透明電解液の使用過程に発生した微量ガスによるセキュリティリスクを避けるために、第１余剰空間内の透明電解液の充填比は１未満であり、即ち、透明電解液を、透明材背面ケース２０１２と透明材前面ケース２０１１とを結合させて形成した密閉された収納チャンバ内に注入する時に、当該収納チャンバ内に、透明電解液の使用過程に発生したガス保存するための所定の空間を保留する。これに対して、透明電解液、陽極、及び、陰極が一つの透明容器内に収納された時に、当該透明容器内の陽極と陰極以外の第２余剰空間内の、透明電解液の充填比も１未満である。
【００３４】
透明電解液は、リチウム電池の電解液、或いは、その他の電解液であってもよい。また、透明電解液は、充電、及び、放電の過程でガスを発生しないか、或いは、微量のガスを発生するため、密閉空間内の大量のガスの発生によるセキュリティリスクを避けることができる。本実施例においては、電解液の種類を制限しない。
【００３５】
例えば、スクリーンモジュール２０３、メインボードモジュール２０４、及び、部品モジュール２０５は、透明材により外側から密封され、透明電解液が第１余剰空間内に充填されている場合、当該透明材は、耐酸性耐アルカリ性材であるか、或いは、透明材上に耐酸性耐アルカリ性材がメッキされている。
【００３６】
スクリーンモジュール２０３、メインボードモジュール２０４、及び、部品モジュール２０５を透明材で製造する場合、スクリーンモジュール２０３、メインボードモジュール２０４、及び、部品モジュール２０５を、そのまま、収納チャンバ内に収納してもよい。スクリーンモジュール２０３、メインボードモジュール２０４、及び、部品モジュール２０５を透明材でない材料で製造する場合、電子機器の透明性を高めるために、スクリーンモジュール２０３、メインボードモジュール２０４、及び、部品モジュール２０５に、透明材により外側から密封されてもよい。
【００３７】
実際に適用する際に、透明液体電池２０２を透明容器中に収納する場合、透明材で密閉したスクリーンモジュール２０３、メインボードモジュール２０４、及び、部品モジュール２０５を、そのまま、収納チャンバ内に収納してもよい。一般的に、電解液は酸類、又は、塩基類の液体であるため、この場合、当該透明容器を、耐酸性耐アルカリ性材で製造するか、或いは、当該透明容器、及び、電解液接触の表面に、耐酸性耐アルカリ性材をメッキすることにより、透明容器が透明電解液によって腐食されることを防止する。
【００３８】
透明液体電池２０２を、そのまま、収納チャンバ内に収納する場合、透明材背面ケース２０１２と透明材前面ケース２０１１とを結合して形成した密閉空間内に、透明電解液を注入する必要があり、且つ、透明電解液は、一般的に、酸類、又は、塩基類の液体であるため、透明材背面ケース２０１２を非耐酸性耐アルカリ性材で製造する場合には、透明電解液と接触する透明材背面ケース２０１２の表面に耐酸性耐アルカリ性材をメッキする必要ある。このようにして、透明材背面ケース２０１２が透明電解液に腐食させられることを防止する。ここで、非耐酸性耐アルカリ性材は、透明・プレキシガラス、等であってもよい。
【００３９】
同様に、メインボードモジュール２０４は、電子機器の中に内蔵されており、且つ、透明電解液と直接的に接触するため、メインボードモジュール２０４を、耐酸性耐アルカリ性材で構成するか、或いは、耐酸性耐アルカリ性材で密閉性するか、或いは、透明材で密閉性した上で、さらに、当該透明材上に耐酸性耐アルカリ性材をメッキすることにより、電子機器内の透明電解液が当該メインボードモジュール２０４を密閉性する透明材を腐食することを防止する。即ち、メインボードモジュール２０４を密閉性する透明材は耐酸性耐アルカリ性材であるか、或いは、メインボードモジュール２０４を密閉性する透明材上に耐酸性耐アルカリ性材がメッキされている。同様に、スクリーンモジュール２０３を密閉性する透明材は耐酸性耐アルカリ性材であるか、或いは、スクリーンモジュール２０３を密閉性する透明材上に耐酸性耐アルカリ性材がメッキされている。スクリーンモジュール２０３を密閉性する透明材は耐酸性耐アルカリ性材であるか、或いは、スクリーンモジュール２０３を密閉性する透明材上に耐酸性耐アルカリ性材がメッキされている。例えば、さらに、透明材で、メインボードモジュール２０４と部品モジュール２０５とを一体に密閉性してもよい。
【００４０】
例えば、透明材前面ケース２０１１とスクリーンモジュール２０３とを結合させる時に、スクリーンモジュール２０３を透明材前面ケース２０１１に完全に接合してもよい。このようにして、当該スクリーンモジュール２０３を固定し、また、透明電解液を第１余剰空間に充填する際に、当該スクリーンモジュール２０３の透明電解液との接触面積を減らせて、当該スクリーンモジュール２０３が透明電解液に腐食させられる可能性を減らすことができる。スクリーンモジュール２０３と透明材前面ケース２０１１とを完全に接合する際に、ただ、透明電解液と接触するスクリーンモジュール２０３の一つの面に対して、耐酸性耐アルカリ処理を行うだけでよい。
【００４１】
透明電解液が第１余剰空間内に充填されており、且つ、スクリーンモジュール２０３、メインボードモジュール２０４、及び、部品モジュール２０５と、透明材前面ケース２０１１との接触面積が、より小さい場合、透明材前面ケース２０１１は、依然として、透明電解液と接触する場合には、透明材前面ケース２０１１を、例えば、グラスのような耐酸性耐アルカリ性材で製造するか、或いは、例えば、透明プレキシガラスのような非耐酸性耐アルカリ性材で製造し、透明電解液と接触する透明材前面ケース２０１１の表面に耐酸性耐アルカリ性材をメッキすることにより、透明材前面ケース２０１１が透明電解液に腐食させられることを防止する。即ち、透明電解液と透明材前面ケース２０１１とが接触し、且つ、透明材前面ケース２０１１がグラスで製造されると、透明電解液と接触するグラスの表面に、耐酸性耐アルカリ性材をメッキする。
【００４２】
透明材背面ケース２０１２と、透明材前面ケース２０１１とを結合させる際に、透明材背面ケース２０１２と透明材前面ケース２０１１との結合部を、耐酸性耐アルカリ性材で密閉性することにより、透明電解液の漏洩を避ける。
例えば、透明材前面ケース２０１１の材料は、所定の強さのレベルのグラス、或いは、透明プレキシガラスであってもよい。本実施例においては、透明材前面ケース２０１１の製造材料を制限しない。ここでの所定の強さのレベルは、一般的に、高い強さのレベルである。例えば、グラスの強さのレベルを１０個のレベルに区分すると、第８のレベルから第１０のレベルが高い強さのレベルであり、ここでの所定の強さのレベルは、第８のレベル、第９のレベル、及び、第１０レベルの中の任意のレベルである。本実施例においては、透明材背面ケース２０１２の製造材料を、制限しないことを説明する必要がある。
【００４３】
例えば、透明材背面ケース２０１２上に、電子機器の中に内蔵する一部の部品の設置位置を予め用意してもよい。例えば、一般的に、電子機器の背面ケースに、カメラとフラッシュとの設置位置を予め用意する必要があるため、透明材背面ケース２０１２において、ホール２０１２ａとホール２０１２ｂとを予め用意する。ここで、ホール２０１２ａは、部品モジュール２０５の中のカメラモジュールに含まれるカメラを設置するためのホールであり、ホール２０１２ｂは、部品モジュール２０５の中のカメラモジュールに含まれるフラッシュを設置するためのホールである。当然ながら、透明材背面ケース２０１２に、さらに、その他の内蔵する部品の設置位置を予め用意してもよく、本実施例においては、透明材背面ケース２０１２におけるホールの数と形状を制限しない。
【００４４】
透明材背面ケース２０１２上に設置位置が予め用意されている場合、耐酸性耐アルカリ性材で設置位置を密閉性して、透明電解液の漏洩を防止してもよい。
例えば、透明材背面ケース２０１２が透明なものであるため、透明材背面ケース２０１２に、ホール２０１２ａとホール２０１２ｂとを予め用意しなくてもよい。カメラモジュールは、当該透明材背面ケース２０１２を透過して正常に撮影でき、カメラモジュールの中のフラッシュは、当該透明材背面ケース２０１２を透過して正常に光を照射できる。
【００４５】
例えば、透明材前面ケース２０１１上には、一部の機能キーの設置位置が設置されている。機能キーは、図２Ｂに示したような電源キー２０１１ａ、ボリュームキー２０１１ｂ、受話器２０１１ｃ、ＵＳＢ（Ｕｎｉｖｅｒｓａｌ Ｓｅｒｉａｌ Ｂｕｓ）インターフェイス２０１１ｄ等であってもよい。
【００４６】
例えば、メインボードモジュール２０４中の回路基板は、所定の形状を有する回路基板である。
ここでの所定の形状を有する回路基板とは、メーカーが、互いに異なる要求に従って設計した互いに異なる形状の回路基板であり、ユーザの要求を適当に満足させることができる。当然ながら、ユーザは、例えば、ドラえもん、キティちゃん、ガーフィールド、等の形状のような、自分が欲しい回路基板の形状を注文してもよい。
【００４７】
部品モジュール２０５は、それぞれ、少なくとも一種のカラーの光を出射できる、少なくとも一つのライトを備え、少なくとも一つのライトそれぞれは、メインボードモジュール２０４、及び、透明液体電池２０２に接続されている。
ここで、ライトそれぞれは、少なくとも一種のカラーの光を出射することができる。例えば、一つのライトは青い光を出射し、もう一つのライトは緑の光を出射し、さらにもう一つのライトは黄色い光を出射し、別の一つのライトは赤い光を出射する。
本実施例において、ライトそれぞれは、メインボードモジュール２０４、及び、透明液体電池２０２に接続される。当該メインボードモジュール２０４は、ライトのオンとオフを制御し、透明液体電池２０２はライトに電力を提供する。
【００４８】
例えば、電子機器は、カラーセンサをさらに備え、当該カラーセンサは、それぞれ、メインボードモジュール２０４、及び、透明液体電池２０２に接続される。
本実施例において、カラーセンサは、それぞれ、メインボードモジュール２０４、及び、透明液体電池２０２に接続され、当該メインボードモジュール２０４はカラーセンサのオンとオフを制御し、透明液体電池２０２はカラーセンサに電力を提供する。
透明電子機器全体は、防水するように設計されて、透明電解液の漏洩を防止する同時に、外部の液体の透明電子機器の内部への侵入を防止できることを説明する必要がある。
【００４９】
上記のように、本発明に係る実施例によって提供する電子機器によると、スクリーンモジュールを有する透明材前面ケース、透明材で密閉性した内蔵部品、透明液体電池、及び、透明材背面ケースを結合させて、一つの透明の電子機器を構成する。このように、透明材を使用して電子機器を製造するため、電子機器が透明の特性を有することができるようにして、電子機器の背面ケースに透明の保護カバーを追加する必要がなくなった。このようにして、透明の保護カバーを追加するため、電子機器の放熱性能が低下する問題を解決した上で、電子機器の全体的な透明感を高める効果を得た。
【００５０】
本発明に係る実施例によって提供する電子機器によると、透明電解液を用いて電子機器に電力を提供する。透明電解液は、空間を充分に利用できるため、固体電池を用いて電子機器に電力を提供する際に、電子機器の空間の利用率がより低の問題を解決して、電子機器の空間の利用率を高める効果を得た。
【００５１】
本発明に係る実施例によって提供する電子機器によると、所定の強さのレベルのグラスを使用するか、或いは、プレキシガラス材料で透明材前面ケースを製造する。このようにして、電子機器のスクリーンと前面ケースとが、外部の圧力を受ける際に、粉砕、或いは損傷し易い問題を解決して、電子機器に内蔵された部品を保護でき、電子機器の使用寿命を改善する効果を得た。
【００５２】
図３Ａは、例示的な一実施例に係る電子機器の使用方法を示すフローチャートである。当該使用方法は、図２Ａに示した電子機器に適用されてもよい。図３Ａに示したように、当該電子機器の使用方法は、以下のステップを含む。
【００５３】
ステップ３０１において、メインボードモジュールを用いて、スクリーンモジュールがバブル形状のアイコンであるバブルアイコンを表示させるように、制御する。
電子機器は、メインボードモジュールを用いて、スクリーンモジュールがスクリーン上にバブル形状のアイコンを表示するように制御する。図３Ｂは、例示的な一実施例に係る電子機器によるバブルアイコンの表示を示す模式図である。図３Ｂに示したように、電子機器は、メインボードモジュールを用いて、スクリーンモジュールを制御して、スクリーン上に、カメラ、アルバム、音楽、テーマ等のバブル形状のアイコンを表示した。
【００５４】
ステップ３０２において、メインボードモジュールを用いて、バブルアイコンに対する操作命令を受信したか否かを検出する。
本実施例において、スクリーンはタッチ機能を有し、ユーザが、バブルアイコンを操作しようとする際に、スクリーン上で当該バブルアイコンをクリックすると、電子機器は操作命令を受信できる。
【００５５】
ステップ３０３において、メインボードモジュールを用いて、バブルアイコンに対する操作命令を受信したことを検出した場合、スクリーンモジュールがバブルアイコンが崩壊される模式的アニメーションを再生させるように、制御する。
ここで、バブルアイコンが崩壊される模式的アニメーションは、電子機器に予め保存されて、電子機器が操作命令を受信した後に、メインボードモジュールを用いて、再生器が当該模式的アニメーションを再生するように制御し、さらに、スクリーンモジュールが再生する模式的アニメーションを表示させるように制御する。
【００５６】
ステップ３０４において、メインボードモジュールを用いて、スクリーンモジュールが、バブルアイコンに対応する操作インターフェイスを表示させるように制御する。
図３Ｃは、例示的な一実施例に係る電子機器によるバブルアイコンに対応するインターフェイスの表示を示す模式図である。図３Ｃに示したように、ユーザがバブル形状のカメラアイコンをクリックすると、電子機器は、メインボードモジュールを用いて、スクリーンモジュールがスクリーン上にバブル形状のカメラアイコンが崩壊される模式的アニメーションを再生させ、そして、撮影インターフェイスに進むように制御する。
【００５７】
上記のように、本発明に係る実施例によって提供する電子機器の使用方法によると、メインボードモジュールを用いて、スクリーンモジュールがバブルアイコンを表示させるように制御に、さらに、バブルアイコンに対する操作命令を受信した後に、スクリーンモジュールがバブルアイコンが崩壊される模式的アニメーションを再生するように制御する。このようにして、透明電解液の特性によって、アイコンをバブル形状に設定することにより、普通のアイコンが無味乾燥である問題を解決して、電子機器全体の表示効果を高める効果を得た。
【００５８】
図４は、例示的な一実施例に係る電子機器の使用方法を示すフローチャートである。当該使用方法は、図２Ａに示した、少なくとも一つのライトを有する電子機器に適用されてもよい。図４に示したように、当該電子機器の使用方法は、以下のステップを含む。
【００５９】
ステップ４０１において、メインボードモジュールを用いて、スクリーンモジュールが表示させた背景カラーを読取る。
ここで、メインボードモジュールは、スクリーンモジュールが表示した画面を読取し、さらに、当該画面の背景カラーを識別できる。当該画面中のカラーがより多い場合には、全てのカラーを抽出して、少なくとも二種の背景カラーを得るか、或いは、各種類のカラーの表示比を取得して、表示比が最も大きいカラーを当該画面の背景カラーとして抽出する。
【００６０】
ステップ４０２において、メインボードモジュールを用いて、少なくとも一つのライトが背景カラーに対応する光を出射するように制御する。
メインボードモジュールが一つのカラーの背景カラーを抽出した場合には、一つのライトが背景カラーに対応する光を出射するように制御し、メインボードモジュールが少なくとも二つの背景カラーを抽出した場合には、少なくとも二つのライトがそれぞれの背景カラーに対応する光を出射するように制御する。少なくとも二つのライトを制御する際には、当該少なくとも二つのライトが同時に光を出射するように制御してもよく、当該少なくとも二つのライトが所定の順番に従って交互に光を出射するように制御してもよい。例えば、背景カラーの表示比が小さくなる順番、或いは、ランダム順番に従って光を出射するように制御する。
【００６１】
例えば、電子機器は、メインボードモジュールを用いて、スクリーンモジュールが表示させた背景カラーを緑のカラーとして読取した場合、メインボードモジュールを用いて、部品モジュールに含まれたライトを制御して、少なくとも一つのライトが読取した背景カラーと同じカラー、即ち、緑のカラーの光を出射するようにして、電子機器を緑のカラーに設定する。
【００６２】
上記のように、本発明に係る実施例によって提供する電子機器の使用方法によると、メインボードモジュールを用いて、スクリーンモジュールが表示させた背景カラーを読取し、少なくとも一つのライトが背景カラーに対応する光を出射するように制御する。このようにして、電子機器がスクリーンに表示された背景カラーに基づいて、自身のカラーを変更できるため、電子機器のカラーが単調で、カラーを変更できない問題を解決して、電子機器のカラーを豊富化する効果を得た。
【００６３】
図５は、例示的な一実施例に係る電子機器の使用方法を示すフローチャートである。当該使用方法は、図２Ａに示した、少なくとも一つのライトを有する電子機器に適用されてもよい。図５に示したように、当該電子機器の使用方法は、以下のステップを含む。
【００６４】
ステップ５０１において、メインボードモジュールを用いて、ユーザによりトリガされた、第１カラー情報が付加されたカラー命令を受信する。
ここで、カラー命令中には、電子機器のカラーを指示するための第１カラー情報が付加されている。例えば、ユーザが、電子機器のカラーを緑のカラーに設定しようとする場合、ユーザによりトリガされたカラー命令中に付加された第１カラー情報は緑のカラーである。
【００６５】
本実施例において、カラー命令は、設定インターフェイスにおいてトリガされる。例えば、電子機器は、電子機器の全てのカラーを表示し、ユーザは、表示されたカラーの中からカラーを選択して、カラー命令を生成する。或いは、電子機器は、所定の操作を検出した後に、カラー命令を生成する。例えば、ダブルクリックの操作を受信すると、カラー命令を生成する。
【００６６】
ステップ５０２において、メインボードモジュールを用いて、少なくとも一つのライトが第１カラー情報に対応する光を出射するように制御する。
電子機器は、メインボードモジュールを用いてカラー命令を受信した後に、メインボードモジュールを用いて、第１カラー情報を読取し、少なくとも一つのライトが第１カラー情報に対応する光を出射するように制御する。
【００６７】
例えば、ユーザは、電子機器のカラーを緑のカラーに設定しようとする場合、設定インターフェイスに表示された命令の中から、緑のカラーを選択して、カラー命令を生成する。この時、当該カラー命令に付加された第１カラー情報は、緑のカラーである。電子機器は、メインボードモジュールを用いてカラー命令を受信した後に、さらに、メインボードモジュールを用いて、部品モジュールの中のライトを制御して、少なくとも一つのライトが第１カラー情報と同じカラー、即ち、緑のカラー光を出射するようにして、電子機器を緑のカラーに設定する。
【００６８】
上記のように、本発明に係る実施例によって提供する電子機器の使用方法によると、メインボードモジュールを用いて、ユーザによりトリガされたカラー命令を受信し、少なくとも一つのライトが当該カラー命令中の第１カラー情報に対応する光を出射するように制御する。このようにして、ユーザは自分が要求に基づいて電子機器のカラーを変更できるため、電子機器自身のカラーが単調で、変更しにくい問題を解決して、電子機器のカラーを豊富化して、ユーザーエクスペリエンスを高める効果を得た。
【００６９】
図６は、例示的な一実施例に係る電子機器の使用方法を示すフローチャートである。当該使用方法は、図２Ａに示した、少なくとも一つのライトを有する電子機器に適用されてもよい。図６に示したように、当該電子機器の使用方法は、以下のステップを含む。
【００７０】
ステップ６０１において、他の電子機器と通話する際に、メインボードモジュールを用いて、他の電子機器のＩＤ情報を取得する。
ここで、他の電子機器との通話は、電子機器が自発的に発した通話でもよいし、他の電子機器が自発的に発した通話であってもよい。本実施例においては、通話を発した方を制限しない。また、通話はコールして接続される前の通話であってもよいし、コールして接続された後の通話であってもよい。本実施例においては、通話に対して制限しない。
ＩＤ情報は、他の電子機器のＩＤを認識するためのものである。例えば、ＩＤ情報は、電話番後、名前、グループの中の少なくとも一つを含んでもよい。
【００７１】
ステップ６０２において、予め設定した対応関係中から、メインボードモジュールを用いて、ＩＤ情報に対応する第２カラー情報を読取る。
予め設定した関係は、ＩＤ情報と、第２カラー情報との間の一対一の対応関係であり、電子機器に予め保存されていてもよい。例えば、対応関係の中で、身内グループと赤のカラーとが対応される場合、メインボードモジュールを用いて読取したＩＤ情報が示す他の電子機器が身内グループに属する際に、対応関係の中から第２カラー情報を赤のカラーとして読取る。
【００７２】
ステップ６０３において、メインボードモジュールを用いて、少なくとも一つのライトが第２カラー情報に対応する光を出射するように制御する。
電子機器は、メインボードモジュールを用いて第２カラー情報を受信した後、少なくとも一つのライトが第２カラー情報に対応する光を出射するように制御する。
【００７３】
例えば、ユーザは、全ての連絡先をグループ分けし、また、予め設定した関係の中に対応するカラーを設定する。例えば、ユーザは、連絡先を、友達、同僚、身内、及び、見知らぬ人、等のグループにグループ分けし、また、友達グループに緑のカラーを対応させ、同僚グループに黄色いカラーを対応させ、身内グループに赤のカラーを対応させ、見知らぬ人グループに灰色を対応させる。電子機器は、電話を受信する際に、電子機器メインボードモジュールを用いて、着信連絡先のＩＤ情報を取得し、当該着信連絡先がユーザの身内である場合には、メインボードモジュールを用いて、身内グループに対応するカラーを赤のカラーとして読取して、さらに、メインボードモジュールを用いて、部品モジュールに含まれたライトが赤い光を出射するように制御することにより、ユーザに着信連絡先が身内であることを通知する。
【００７４】
上記のように、本発明に係る実施例によって提供する電子機器の使用方法によると、他の電子機器と通話する際に、メインボードモジュールを用いて、他の電子機器のＩＤ情報を取得し、予め設定した対応関係中から、メインボードモジュールを用いて、ＩＤ情報に対応する第２カラー情報を読取して、メインボードモジュールを用いて、少なくとも一つのライトが第２カラー情報に対応する光を出射するように制御する。このようにして、電子機器のカラーを変更することにより、ユーザに、着信連絡先のＩＤ情報を通知することができるため、着信した際に着信連絡先のＩＤ情報を直観的に表示できない問題を解決して、着信連絡先をユーザに速く通知できる効果を得た。
【００７５】
図７は、例示的な一実施例に係る電子機器の使用方法を示すフローチャートである。当該使用方法は、図２Ａに示した、カラーセンサと少なくとも一つのライトとを有する電子機器に適用されてもよい。図７に示したように、当該電子機器の使用方法は、以下のステップを含む。
【００７６】
ステップ７０１において、カラーセンサを用いて、電子機器が位置する環境の環境カラーを取得する。
ここで、カラーセンサは、電子機器が位置する環境の環境カラーを検出するためのものである。例えば、電子機器が白いカラーの環境に検出する場合、カラーセンサを用いて環境カラーを白いカラーとして検出する。
【００７７】
ステップ７０２において、メインボードモジュールを用いて、少なくとも一つのライトが環境カラーに対応する光を出射するように制御する。
カラーセンサは、環境カラーをメインボードモジュールに送信し、メインボードモジュールは、環境カラーに基づいて、少なくとも一つのライトが環境カラーに対応する光を出射するように制御する。
【００７８】
例えば、電子機器を白いカラーのテーブルに放置した際に、電子機器は、カラーセンサを用いて自身が位置する環境の環境カラーを白いカラーとして取得し、さらに、メインボードモジュールを用いて、部品モジュールに含まれたライトを制御して、少なくとも一つのライトを用いて白いカラーの光を出射するようにする。
【００７９】
上記のように、本発明に係る実施例によって提供する電子機器の使用方法によると、カラーセンサを用いて電子機器が位置する環境の環境カラーを取得して、少なくとも一つのライトが境カラーに対応する光を出射するように制御する。こうして、周囲の環境のカラーに基づいて自動的に電子機器のカラーを変更できるため、電子機器のカラーが単調である問題を解決して、電子機器のカラーを豊富化し、電子機器の透明感を高める効果を得た。
【００８０】
図８Ａは、例示的な一実施例に係る電子機器の使用方法を示すフローチャートである。当該使用方法は、図２Ａに示した、陽極と陰極とを有する電子機器に適用されてもよい。図８Ａに示したように、当該電子機器の使用方法は、以下のステップを含む。
【００８１】
ステップ８０１において、メインボードモジュールを用いて、陽極に対応するスクリーンモジュール上における第１位置、及び、陰極に対応するスクリーンモジュール上における第２位置を取得する。
スクリーンモジュールが透明材から構成されるため、陽極に対応するスクリーンモジュール上における第１位置が、陽極の設置位置である、陰極に対応するスクリーンモジュール上における第２位置が、陰極の設置位置である。ここで、設置位置は電子機器に予め保存されてもよい。メインボードモジュールを用いて、設置位置を読取してもよい。
【００８２】
ステップ８０２において、電子機器が充電状態にいる際に、メインボードモジュールを用いて、スクリーンモジュールが、第１位置と第２位置との間での電流の流動を示す模式的アニメーションを再生するように制御するか、或いは、メインボードモジュールを用いて、スクリーンモジュールが、第１位置と第２位置とにおいてのバブルの生成を示す模式的アニメーションを再生するように制御するか、或いは、メインボードモジュールを用いて、スクリーンモジュールが、第１位置と第２位置から、それぞれ、スクリーンモジュールが表示した電池への電流の流動を示す模式的アニメーションを再生するように制御する。
【００８３】
図８Ｂは、例示的な一実施例に係る電子機器の充電インターフェイスを示す模式図である。図８Ｂに示したように、電子機器は、充電状態にいる際に、メインボードモジュールを用いて、スクリーンモジュールを制御して、スクリーンにおける二つの電極棒にそれぞれ対応する位置の間で、電流の流動を示す模式的アニメーションを再生させることにより、陽極と陰極とが透明電解液による充電過程にいることを示す。ここで、第１位置と第２位置との間で流動する電流を、バブルによって実現してもよい。なお、バブルの大きさと、電流の大きさとは、比例する。即ち、電流が大きいほど、バブルが大きい。
【００８４】
メインボードモジュールは、スクリーンモジュールを制御して、スクリーン上に電池のアイコンを表示する際に、さらに、スクリーンを制御して、電流が第１位置と第２位置とからそれぞれ電池へ流動する模式的アニメーションを再生させてもよい。
【００８５】
上記のように、本発明に係る実施例によって提供する電子機器の使用方法によると、メインボードモジュールを用いて、陽極に対応するスクリーンモジュール上における第１位置、及び、陰極に対応するスクリーンモジュール上における第２位置を取得して、充電状態にいる際に、メインボードモジュールを用いて、スクリーンモジュールが、電流が第１位置と第２位置との間で流動することを示す模式的アニメーションを再生するように制御する。こうして、充電する際に、電子機器の透明な特性によって、電極棒のスクリーン上に対応する位置に電流動画を表示できるため、一般の電子機器が充電する際の無味乾燥の問題を解決して、ユーザーエクスペリエンスを高め、面白さを高める効果を得た。
【００８６】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【００８７】
本願は、出願番号がＣＮ２０１４１０５５３７８２.１であって、出願日が２０１４年１０月１７日である中国特許出願に基づいて優先権を主張し、当該中国特許出願のすべての内容を援用する。
【手続補正２】
【補正対象書類名】特許請求の範囲
【補正対象項目名】全文
【補正方法】変更
【補正の内容】
【特許請求の範囲】
【請求項１】
透明材ケースと、透明液体電池とを含み、前記透明材ケースは、一つの密閉された収納チャンバを構成し、前記収納チャンバ内には、前記透明液体電池、スクリーンモジュール、メインボードモジュール、部品モジュール、及び、電源モジュールが収納され、
前記メインボードモジュールは、透明材から構成された前記スクリーンモジュールと接続され、
前記メインボードモジュールは、前記部品モジュールと接続され、
前記メインボードモジュールは、前記電源モジュールと接続される
ことを特徴とする電子機器。
【請求項２】
前記透明液体電池は、透明電解液、陽極、及び、陰極を含み、
前記透明電解液は、
前記収納チャンバ内の、前記スクリーンモジュール、前記メインボードモジュール、前記部品モジュール、前記電源モジュール、前記陽極、及び、前記陰極以外の空間である、第１余剰空間内に充填されるか、
或いは、
前記収納チャンバ内に収納された透明容器内の、前記陽極、及び、前記陰極以外の空間である、第２余剰空間内に充填される
ことを特徴とする請求項１に記載の電子機器。
【請求項３】
前記第１余剰空間内の前記透明電解液の充填比は１未満であるか、或いは、前記第２余剰空間内の前記透明電解液の充填比は１未満である
ことを特徴とする請求項２に記載の電子機器。
【請求項４】
前記スクリーンモジュール、前記メインボードモジュール、及び、前記部品モジュールは、透明材により外側から密封され、
前記透明電解液が前記第１余剰空間内に充填される場合、前記透明材は耐酸性耐アルカリ性材であるか、或いは、前記透明材上に耐酸性耐アルカリ性材がメッキされている
ことを特徴とする請求項２に記載の電子機器。
【請求項５】
前記メインボードモジュール中の回路基板は、所定の形状を有する回路基板である
ことを特徴とする請求項２に記載の電子機器。
【請求項６】
前記部品モジュールは、それぞれ、少なくとも一種のカラーの光を出射できる、少なくとも一つのライトを含み、
各々のライトは、それぞれ、前記メインボードモジュール、及び、前記透明液体電池に接続される
ことを特徴とする請求項１乃至５のいずれか１項に記載の電子機器。
【請求項７】
前記部品モジュールは、カラーセンサをさらに含み、
前記カラーセンサは、前記メインボードモジュール、及び、前記透明液体電池に接続される
ことを特徴とする請求項６に記載の電子機器。
【請求項８】
透明材ケースは、前記収納チャンバを構成する透明材前面ケース及び透明材背面ケースを含み、
前記透明材前面ケースは、前記スクリーンモジュールと接続される
ことを特徴とする請求項１乃至５のいずれか１項に記載の電子機器。
【請求項９】
請求項１乃至８のいずれか１項に記載の電子機器に適用される電子機器の使用方法であって、
前記メインボードモジュールを用いて、前記スクリーンモジュールがバブル形状のアイコンであるバブルアイコンを表示させるように、制御するステップと、
前記メインボードモジュールを用いて、前記バブルアイコンに対する操作命令を受信したか否かを検出するステップと、
前記メインボードモジュールを用いて、前記バブルアイコンに対する操作命令を受信したことを検出した場合、前記スクリーンモジュールが、前記バブルアイコンが崩壊される模式的アニメーションを再生するように制御するステップと、
前記メインボードモジュールを用いて、前記スクリーンモジュールが、前記バブルアイコンに対応する操作インターフェイスを表示させるように制御するステップと
を含むことを特徴とする電子機器の使用方法。
【請求項１０】
請求項６に記載の電子機器に適用される電子機器の使用方法であって、
前記メインボードモジュールを用いて、前記スクリーンモジュールが表示する背景カラーを読取るステップと、
前記メインボードモジュールを用いて、前記少なくとも一つのライトが前記背景カラーに対応する光を出射するように制御するステップと
を含むことを特徴とする電子機器の使用方法。
【請求項１１】
請求項６に記載の電子機器に適用される電子機器の使用方法であって、
前記メインボードモジュールを用いて、ユーザによりトリガされた、第１カラー情報が付加されたカラー命令を受信するステップと、
前記メインボードモジュールを用いて、前記少なくとも一つのライトが前記第１カラー情報に対応する光を出射するように制御するステップと
を含むことを特徴とする電子機器の使用方法。
【請求項１２】
請求項６に記載の電子機器に適用される電子機器の使用方法であって、
前記メインボードモジュールを用いて、他の電子機器と通話する際に、前記他の電子機器のＩＤ情報を取得するステップと、
前記メインボードモジュールを用いて、予め設定した対応関係中から、前記ＩＤ情報に対応する第２カラー情報を読取るステップと、
前記メインボードモジュールを用いて、前記少なくとも一つのライトが前記第２カラー情報に対応する光を出射するように制御するステップと
を含むことを特徴とする電子機器の使用方法。
【請求項１３】
請求項７に記載の電子機器に応用する電子機器の使用方法であって、
前記カラーセンサを用いて、前記電子機器が位置する環境の環境カラーを取得するステップと、
前記メインボードモジュールを用いて、前記少なくとも一つのライトが前記環境カラーに対応する光を出射するように制御するステップと
を含むことを特徴とする電子機器の使用方法。
【請求項１４】
請求項２に記載の電子機器に適用される電子機器の使用方法であって、
前記メインボードモジュールを用いて、前記スクリーンモジュール上における前記陽極に対応する位置である第１位置、及び、前記スクリーンモジュール上における前記陰極に対応する位置である第２位置を取得するステップと、
前記電子機器が充電状態にいる際に、前記メインボードモジュールを用いて、前記スクリーンモジュールが、前記第１位置と前記第２位置との間で電流が流れていることを示す模式的アニメーションを再生するように制御するか、或いは、前記第１位置と前記第２位置とにおいてバブルが生成されていることを示す模式的アニメーションを再生するように制御するか、或いは、前記第１位置と前記第２位置のそれぞれから電流が前記スクリーンモジュールが表示した電池へ流れていることを示す模式的アニメーションを再生するように制御するステップと
を含むことを特徴とする電子機器の使用方法。
【請求項１５】
プロセッサに実行されることにより、請求項９から請求項１４のいずれかに記載の電子機器の使用方法を実現することを特徴とするプログラム。
【請求項１６】
請求項１５に記載のプログラムが記録された記録媒体。
【国際調査報告】
2016540468.tif 000015
2016540468.tif 000016
2016540468.tif 000017
2016540468.tif 000018